(57)【特許請求の範囲】
【請求項１】
給電装置から非接触方式により給電された電力を受電する受電部を備える機器を着脱可能な着脱部と、
蓄電池と
前記着脱部に装着された前記機器と接続され、前記蓄電池による電力の前記機器への給電と、前記受電部に受電された電力の前記蓄電池への給電が切り替え可能な接続部と、
前記機器と通信する通信部と、
前記通信部によって前記機器から受信した信号により、前記接続部を介した給電方向を切替える制御部とを備え、
前記制御部は、前記蓄電池による電力を前記機器へ給電する状態で前記通信部によって前記信号を受信したときに、前記蓄電池の電圧が所定の電圧より低下している場合は、前記受電部に受電された電力の前記蓄電池への給電に前記接続部を切り替える
電子機器。
【請求項２】
前記通信部は、前記受電部が前記給電装置から電力を給電される場合に前記信号を送信する請求項１に記載の電子機器。
【請求項３】
前記通信部は、
前記制御部によって前記接続部を介する給電を前記受電部に受電された電力の前記蓄電池への給電に切替えた後、前記切替えを示す切替完了信号を機器に送信する
請求項１又は請求項２に記載の電子機器。
【請求項４】
前記機器から前記接続部を介して給電された前記電力を前記蓄電池に充電する充電部、
を備える請求項１から請求項３の何れか一項に記載の電子機器。
【請求項５】
前記充電部は、
前記機器に搭載された第２蓄電池から前記接続部を介して給電された電力を前記蓄電池に対して充電する
請求項４に記載の電子機器。
【請求項６】
前記通信部の動作状態を、通信処理が可能な第１動作状態と前記第１動作状態に比して消費される電力を低減した第２動作状態とに切替える制御を行う第２制御部、
を備え、
前記第２制御部は、
前記充電部により前記蓄電池に対して充電される場合、前記通信部の動作状態を前記第２動作状態に遷移させる
請求項４又は請求項５に記載の電子機器。
【請求項７】
前記第２制御部は、
前記蓄電池に対する充電が終了した場合、前記通信部の動作状態を前記第２動作状態から前記第１動作状態に遷移させる
請求項６に記載の電子機器。
【請求項８】
前記機器に搭載された第２蓄電池、および前記蓄電池のうちの何れかが充電中の場合に、当該充電中であることを報知する報知部、
を備える請求項１から請求項７の何れか一項に記載の電子機器。
【発明の詳細な説明】
【技術分野】
【０００１】
本発明は、電子機器に関する。
【背景技術】
【０００２】
カメラボディとカメラボディに着脱可能な交換レンズとを備えるレンズ交換式のカメラシステムがある（例えば、特許文献１参照）。また、互換性のないカメラボディと交換レンズとをアダプターを介して装着可能とするレンズ交換式のカメラシステムもある（例えば、特許文献２参照）。これらのレンズ交換式のカメラシステムにおいては、カメラボディまたはアダプターなどに搭載されている蓄電池から給電されることにより、撮影動作が行われる。
このようなカメラボディやアダプターなどの電子機器に搭載されている蓄電池を充電する方法としては、その蓄電池を電子機器から取外して別体の充電器に接続することにより充電する方法がある。また、他の方法としては、ＡＣアダプターなどの直流電源をケーブルを介して電子機器に接続して給電することにより、電子機器に搭載されている蓄電池を充電する方法がある。
【先行技術文献】
【特許文献】
【０００３】
【特許文献１】特開２００８−２７５８９０号公報
【特許文献２】特開２００１−２９６５９３号公報
【発明の概要】
【発明が解決しようとする課題】
【０００４】
近年、非接触充電（無接点充電、無線充電）方式により蓄電池を充電する方法がある。この非接触充電方式による充電方法は、例えば、電力を給電（送電）する給電装置に、この給電装置から送電された電力を受電する受電部が備えられている電子機器を載置することにより、この電子機器に搭載されている蓄電池を充電する方法である。この方法は、電子機器から蓄電池を取外す必要がなく、また直流電源をケーブルなどを介して電子機器に接続する必要がないため、容易に充電することができる充電方法として注目されている。
しかしながら、非接触充電方式に対応した受電部を備えていない電子機器においては、搭載されている蓄電池をこの非接触充電方式により充電することができないという問題があった。
【０００５】
本発明は、このような事情に鑑みてなされたもので、その目的は、装着された電子機器に搭載されている蓄電池を容易に充電することができる電子機器を提供することにある。
【課題を解決するための手段】
【０００６】
上記問題を解決するために、本発明の一態様は、給電装置から非接触方式により給電された電力を受電する受電部を備える機器を着脱可能な着脱部と、蓄電池と前記着脱部に装着された前記機器と接続され、前記蓄電池による電力の前記機器への給電と、前記受電部に受電された電力の前記蓄電池への給電が切り替え可能な接続部と、前記機器と通信する通信部と、前記通信部によって前記機器から受信した信号により、前記接続部を介した給電方向を切替える制御部とを備え、前記制御部は、前記蓄電池による電力を前記機器へ給電する状態で前記通信部によって前記信号を受信したときに、前記蓄電池の電圧が所定の電圧より低下している場合は、前記受電部に受電された電力の前記蓄電池への給電に前記接続部を切り替える電子機器である。
【０００７】
また、本発明は、給電装置から非接触方式により給電された電力を受電する受電部を備える第３機器を着脱可能な第３着脱部と、前記第３着脱部に装着された前記第３機器と接続され、搭載された第１蓄電池による電力を前記第３機器へ給電する第１給電方向と、前記受電部に受電された電力である受電電力が前記第３機器から給電される第２給電方向とのうちの何れかの給電方向に給電される第３接続部と、前記第３機器と通信する第３通信部と、前記第３通信部により前記第３機器から受信された受信結果に基づいて、前記第３接続部を介する給電方向を切替える給電方向制御部と、を備えることを特徴とする電子機器である。
【発明の効果】
【０００８】
この発明によれば、装着された電子機器に搭載されている蓄電池を容易に充電することができる。
【図面の簡単な説明】
【０００９】
【図１】第１実施形態によるカメラシステムの構成の一例を示す概略ブロック図である。
【図２】第１実施形態によるカメラシステムが給電装置に設置されている状態の一例を示すブロック図である。
【図３】アダプターの外観の概要を示す図である。
【図４】アダプターとカメラボディとの給電制御に関する構成の一例を示す概略ブロック図である。
【図５】カメラシステムにおける給電切替え処理の一例を示すフローチャートである。
【図６】図５に示す受電電力判定処理の別の例を示すフローチャートである。
【図７】図５に示す給電方向切替え処理の別の例を示すフローチャートである。
【図８】第１蓄電池に対する充電を終了する場合の給電切替え処理の一例を示すフローチャートである。
【図９】第１蓄電池１９０が充電中の場合にカメラシステムがスリープモードに移行するスリープ処理の一例を示している。
【図１０】第２実施形態によるアダプターとカメラボディとの給電制御に関する構成の一例を示す概略ブロック図である。
【図１１】第２実施形態における給電切替え処理および充電処理の一例を示すフローチャートである。
【図１２】第２実施形態によるスリープ処理の一例を示すフローチャートである。
【図１３】第３実施形態によるアダプターとカメラボディとの給電制御に関する構成の一例を示す概略ブロック図である。
【図１４】図４に示す給電制御に関する構成図を簡略化した図である。
【図１５】図１４に示す給電制御に関する構成の第１の変形例を示す図である。
【図１６】図１４に示す給電制御に関する構成の第２の変形例を示す図である。
【発明を実施するための形態】
【００１０】
＜第１実施形態＞
以下、図面を参照して、本発明の実施の形態について説明する。
本実施形態においては、電子機器の例として、レンズ交換式のカメラシステム１（撮像装置）を構成するカメラボディ１００、アダプター３００、および、交換レンズ２００を例に説明する。
【００１１】
図１は、第１実施形態によるカメラシステム１の構成の一例を示す概略ブロック図である。この図に示すカメラシステム１は、カメラボディ１００（第１機器）、アダプター３００（第３機器）、および、交換レンズ２００（第２機器）を備えている。アダプター３００は、カメラボディ１００と交換レンズ２００との間に設けられ、カメラボディ１００と交換レンズ２００とをそれぞれ着脱可能である。また、アダプター３００は、非接触方式により給電された電力を受電する受電部を備えた構成、すなわち非接触充電（無接点充電、無線充電）方式に対応した構成を有するものである。
図２は、第１実施形態によるカメラシステム１が給電パッド５００（給電装置）に設置（載置）されている状態の一例を示すブロック図であり、以下、図１および図２を参照して説明をする。なお、図１および図２において、対応する各部には同一の符号を付けている。
【００１２】
カメラボディ１００は、従来の一眼レフカメラシステムに比べてフランジバックの短いカメラシステムのカメラボディである。交換レンズ２００は、従来の一眼レフカメラシステムに装着されて使用される交換レンズである。そのため、従来の一眼レフカメラに使用されていた交換レンズ２００をカメラボディ１００に直接取り付ける（装着する）ことはできない。よって、交換レンズ２００は、アダプター３００を介してカメラボディ１００に取り付けられている。なお、本実施の形態においては、カメラボディ１００の基準電圧（カメラ制御部１１０に供給される電圧）が例えば３Ｖで、交換レンズ２００の基準電圧（レンズ制御部２１０に供給される電圧）が例えば５Ｖとする。
【００１３】
（カメラボディの構成）
カメラボディ１００は、前述したように一眼レフカメラシステムに比べてフランジバックが短いカメラシステムのカメラボディである。これは、カメラボディ１００が従来の一眼レフカメラに備わっているミラー機構を省略しているためである。ここで、アダプター３００を着脱可能なカメラボディ側マウント１０１（第３着脱部）の基準面１０１aから撮影素子１０４（撮像素子）の撮像面までの距離は、図１に示す距離Ａである。
【００１４】
カメラボディ１００は、前述のカメラボディ側マウント１０１、および撮影素子１０４に加えて、画像処理部１４０と、カメラ電源部１２０（電源供給回路）と、第１蓄電池１９０（バッテリー）を収納する第１蓄電池部１９０Ｂと、報知部１７０（第３報知部）と、カメラ制御部１１０と、を備えている。なお、カメラボディ１００は、不図示ながら、これらに加えて周知のオートフォーカス部、自動露出部、背面表示部（カメラボディ１００の筐体の背面側に設けられた表示部）、メモリーなども有している。
カメラボディ側マウント１０１は、基準面１０１a（マウント面）と、各種接点群１０１ｂと、を備えている。
【００１５】
撮影素子１０４は、交換レンズ２００、およびアダプター３００を介して受光面に受光された光束を画像信号に変換する撮像デバイスであり、ＣＭＯＳ(Complementary Metal Oxide Semiconductor)またはＣＣＤ(Charge Coupled Device)を含んで構成されている。
画像処理部１４０は、デジタル信号に変換された画像信号に対してホワイトバランス調整、シャープネス調整、ガンマ補正、階調調整などの画像処理を施すと共に、ＪＰＥＧ（Joint Photographic Experts Group）などの画像圧縮処理を行ない不図示の背面表示部に画像の表示を行なう。
【００１６】
カメラ電源部１２０は、第１蓄電池１９０から供給される電圧をカメラボディ１００が備えている各部に供給するための電圧（例えば５Ｖまたは３Ｖ）に変換する電圧変更回路を含んでいる。また、カメラ電源部１２０は、第１蓄電池１９０から供給される電圧をアダプター３００または交換レンズ２００に供給するための電圧（例えば３Ｖ）に変換する電圧変更回路を含んでいる。例えば、カメラ電源部１２０は、第１蓄電池１９０から供給される電圧から生成した制御系電源Ｖｃｃの電圧（例えば３Ｖ）と、第１蓄電池１９０から供給される電圧であるパワー系電源ＰＷＲの電圧（バッテリー電圧）とを、それぞれアダプター３００に対して供給する。
さらに、カメラ電源部１２０は、第１蓄電池１９０に電力を充電する充電回路、第１蓄電池１９０の電圧を検出する電圧検出回路などを備えている。カメラ電源部１２０の構成の詳細について詳しくは、後述する。
【００１７】
なお、第１蓄電池１９０（電池）は充電可能な２次電池であり、例えばリチウム電池やリチウムイオン電池、ニッケル水素電池などを用いることができる。例えば、第１蓄電池１９０は、電圧が３．６Ｖのリチウムイオン電池を２個有している電池である。この場合、前述のカメラ電源部１２０は、例えば、７．２Ｖの電圧を降圧して、５Ｖの電圧の電源系統と３Ｖの電圧の電源系統を生成する。
【００１８】
報知部１７０は、ＬＥＤ（Light Emitting Diode）を含んで構成されており、例えば、第１蓄電池１９０に対して充電が行なわれている場合、カメラ制御部１１０は、ＬＥＤを点灯状態にする。ここで、報知部１７０のＬＥＤを点灯させるのは、アダプター３００において充電が行なわれていることをユーザに認識させるためである。例えば、カメラ制御部１１０は、報知部１７０を、充電の開始から充電終了までの期間、充電中の状態であることを示す色に点灯、または点滅させるなどの制御をする。なお、充電中の場合は報知部１７０を点滅、充電が終了した場合は報知部１７０を点灯するようにしてもよい。なお、報知部１７０の点灯に関する制御はカメラ制御部１１０で行なってもアダプター制御部３１０で行なってもよく、また、協調制御で行なうようにしてもよい。
なお、充電が行われていることを報知する場合、報知部１７０のＬＥＤを点灯状態にするのに代えて、充電が行なわれていることを示す「充電中」などの文字やアイコンを不図示の背面表示部に表示してもよい。
【００１９】
カメラ制御部１１０は、カメラボディ１００に加えてカメラシステム１全体を制御する制御部であり、撮影動作を制御するとともに、第１蓄電池１９０からの給電を制御している。一例を挙げると、カメラ制御部１１０は、撮影動作が可能な動作中においては、第１蓄電池１９０からの電力をカメラボディ１００内の各部やアダプター３００に供給させるようにカメラ電源部１２０に対して制御するとともに、カメラボディ１００が備えている各部を制御する。また、カメラ制御部１１０は、第１蓄電池１９０への充電を行う場合、アダプター３００が給電パッド５００から受電した受電電力を、アダプター３００からカメラボディ１００に供給されるようにカメラ電源部１２０に対して制御するとともに、供給された受電電力を第１蓄電池１９０に対して充電する制御を行う。
【００２０】
（交換レンズの構成）
交換レンズ２００は、アダプター３００を着脱可能なレンズ側マウント２０１と、光学系２２０（レンズ部）と、光学系駆動部２３０と、絞り機構２５１（絞り）と、絞り駆動部２３３と、レンズ制御部２１０と、を備えている。
レンズ側マウント２０１は、基準面２０１a（マウント面）と、各種接点群２０１ｂと、を備えている。
【００２１】
光学系２２０は、フォーカスレンズやズームレンズなどの複数のレンズを含んで構成されており、これに限らず種種の構成をとることができる。光学系駆動部２３０は、光学系２２０を構成するレンズのうち駆動が必要なレンズ（例えば、フォーカスレンズやズームレンズ）を駆動するものであり、ステッピングモーターやＶＣＭ(Voice Coil Motor)などを用いて構成されている。
【００２２】
絞り機構２５１は、交換レンズ２００を透過する光量を調整するものである。絞り駆動部２３３は、所望の光量が得られるように、絞り機構２５１の開口の大きさ（開口径、開度）の調整を行なうものである。また、絞り駆動部２３３は、レンズ制御部２１０の制御により絞り駆動部２３３を駆動する。
【００２３】
レンズ制御部２１０は、交換レンズ２００が備えている各部を制御する。例えば、レンズ制御部２１０は、アダプター３００、またはアダプター３００を介してカメラボディ１００と通信することにより、光学系２２０および絞り機構２５１の駆動を制御する。
【００２４】
（アダプターの構成）
図３は、アダプター３００の外観の概要を示す図である。以下、図１および図２に図３を加えて説明を続ける。
アダプター３００は、カメラボディ１００と交換レンズ２００とを着脱可能に接続するものであり、カメラボディ１００のカメラボディ側マウント１０１に着脱可能な第１マウント３０１（第１着脱部）と、交換レンズ２００に着脱可能な第２マウント３０２（第２着脱部）と、受電部３３０と、アダプター電源部３２０（電源供給回路）と、ベースである台座部３０８と、およびアダプター制御部３１０と、を備えている。
【００２５】
第１マウント３０１は、カメラボディ１００側のカメラボディ側マウント１０１に対向して（カメラボディ１００に対してアダプター３００が装着される状態において、対向して）設けられており、基準面３０１a（マウント面）、各種接点群３０１ｂ（図６に示す接続部３０１ｓが有する各接続端子）を有している。なお、光軸方向（装着状態における交換レンズ２００の光軸方向）において、各種接点群３０１ｂは、基準面３０１aよりもカメラボディ１００側（装着状態におけるカメラボディ１００側）の位置に設けられているとともに、基準面３０１aの外径よりも内側に設けられている。
【００２６】
アダプター３００がカメラボディ１００に対して装着されることにより、アダプター３００の各種接点群３０１ｂは、カメラボディ１００の各種接点群１０１ｂと電気的に接続される。すなわち、各種接点群３０１ｂが有する複数の接点のそれぞれは、各種接点群１０１ｂが有する複数の接点と電気的に接続される。アダプター３００とカメラボディ１００とは、この各種接点群３０１ｂと各種接点群１０１ｂとを介して、通信信号の授受、および給電を行う。
【００２７】
第２マウント３０２は、後述する交換レンズ２００側のレンズ側マウント２０１に対向して（交換レンズ２００に対してアダプター３００が装着される状態において、対向して）設けられており、基準面３０２a（マウント面）、各種接点群３０２ｂを有している。基準面３０２aは、基準面３０１aよりも径が大きく、各種接点群３０２ｂは、カメラボディ１００に取り付けられたときに（アダプター３００の台座部３０８を下方向とした場合に）、第１マウント３０１の各種接点群３０１ｂよりも高い位置にある。また、各種接点群３０２ｂは、基準面３０２aよりもカメラボディ１００側（装着状態におけるカメラボディ１００側）の位置に設けられている。
【００２８】
アダプター３００が交換レンズ２００に対して装着されることにより、アダプター３００の各種接点群３０２ｂは、交換レンズ２００の各種接点群２０１ｂと電気的に接続される。すなわち、各種接点群３０２ｂが有する複数の接点のそれぞれは、各種接点群２０１ｂが有する複数の接点と電気的に接続される。アダプター３００と交換レンズ２００とは、この各種接点群３０２ｂと各種接点群２０１ｂとを介して、通信信号の授受、および給電を行う。
【００２９】
受電部３３０は、２次コイル３３１（受電コイル）と、整流回路３３２と、を備えている。２次コイル３３１は、後述する給電パッド５００にアダプター３００が載置された際に、給電パッド５００の１次コイル５１１（送電コイル、給電コイル）に対向する位置に設けられており、１次コイル５１１より交流電力を受電する。例えば、２次コイル３３１には、給電パッド５００に内蔵された１次コイル５１１と磁気結合することにより(１次コイル５１１に発生した磁束を媒介として)、電磁誘導による電力が生じる。整流回路３３２は、２次コイル３３１に生じた（受電された）交流電圧（交流電力）を直流電圧（直流電力）に変換して出力する。
【００３０】
アダプター電源部３２０は、カメラボディ１００から供給された電圧から交換レンズ２００に供給するためのレンズ系電源系統の電圧を生成する。例えば、アダプター電源部３２０は、カメラボディ１００から供給されたパワー系電源ＰＷＲの電圧（バッテリー電圧）から交換レンズ２００に供給するためのレンズ系電源系統の電圧を生成する。ここで、交換レンズ２００に供給するためのレンズ系電源系統の電圧は、例えば、交換レンズ２００のレンズ制御部２１０に供給するレンズ制御系電源Ｖｃの電圧（例えば５Ｖ）と、レンズ制御系電源Ｖｃよりも供給可能な電力が大きく光学系駆動部２３０および絞り駆動部２３３に供給するレンズ駆動系電源Ｖｐの電圧と、を生成する。
【００３１】
台座部３０８は、アダプター３００を支えるベースとなる部分であり、図３に示すように、装着されている交換レンズ２００側に向けて延びている部分３０８aを有している。そして、図１に示すように、この延びた部分（アダプター３００の筐体内のうち、交換レンズ２００側に向けて延びている部分３０８aを含む台座部３０８を形成する筐体内）に２次コイル３３１が設けられている。なお、本実施形態においては、台座部３０８は、金属からなる部分とプラスチック（樹脂）からなる部分とを有し、２次コイル３３１はプラスチックからなる部分（主としてプラスチックにより覆われている筐体内）に収容されている。これは、給電パッド５００から交流電力を受ける際に磁場の影響を受けないためである。なお、プラスチック部分を設ける代わりに、２次コイル３３１を磁気的に遮蔽する遮蔽材によりシールドするようにしてもよい。
また、台座部３０８は、不図示ながら三脚に取り付けるための三脚座が設けられている。この台座部３０８は、単体でもカメラボディ１００に取り付けられたときでも倒れないような（もしくは倒れにくいような）大きさ、重さに設定されている。
【００３２】
ここで、図１に示すように、アダプター３００の第１マウント３０１の基準面３０１aと、第２マウント３０２の基準面３０２aとの距離（厚み）は、符号Ｃに示す距離である。この距離（厚み）Ｃは、交換レンズ２００のフランジバックＢと、カメラボディ１００のフランジバックＡとの差から決められている。これにより、交換レンズ２００のフランジバックＢをカメラボディ１００のフランジバックＡに合わせることができる。
【００３３】
アダプター制御部３１０は、カメラボディ１００から制御系電源Ｖｃｃの電圧が供給されることにより動作して、アダプター３００が備えている各部を制御する。例えば、アダプター制御部３１０は、アダプター電源部３２０を制御することにより、交換レンズ２００に対する給電を制御する。また、アダプター制御部３１０は、カメラ制御部１１０およびレンズ制御部２１０との通信処理、受電部３３０が受電中の状態であるか否かの判定処理などを行なう。
【００３４】
ここで、給電パッド５００の概略構成について説明する。図２に示すように、給電パッド５００は、１次コイル５１１（送電コイル、給電コイル）およびコイル励振部５１２を有する送電部５１０と、送電制御部５２０と、家庭用商用電源コンセントに挿入して接続する交流電圧入力用（ＡＣｉｎ）のＡＣプラグ５０１と、直流電圧入力用（ＤＣｉｎ）のＤＣプラグ５０２（例えば、ＵＳＢ電源からの給電を受けるためのＵＳＢ端子接続用のコネクタ）と、を備えている。
【００３５】
送電制御部５２０は、ＡＣプラグ５０１またはＤＣプラグ５０２から供給される電圧（交流電圧または直流電圧）を、所定の直流電圧に変換してコイル励振部５１２に供給する。コイル励振部５１２は、送電制御部５２０から供給された直流電圧から、高周波の交流電圧を生成して１次コイル５１１を励振し、１次コイル５１１に磁束を発生させる。なお、この１次コイル５１１に発生した磁束を媒介として電磁誘導による電力が２次コイル３３１に生じることにより、アダプター３００の受電部３３０は、１次コイル５１１から送電された電力を受電する。
【００３６】
なお、給電パッド５００の送電部５１０からアダプター３００の受電部３３０に給電される方式は、「電磁誘導方式」に限られるものではなく、電波を利用する（例えば、電流を電磁波に変換しアンテナを介して送受信する）「電波方式」、電磁界の共鳴現象（磁場の共振現象）を利用した「電磁界共鳴方式」、などの方式としてもよい。
【００３７】
（給電制御に関する構成の詳細）
次に、アダプター３００とカメラボディ１００とにおいて相互に給電が行われる際の給電制御の構成について説明する。
図４は、アダプター３００とカメラボディ１００との給電制御に関する構成の一例を示す概略ブロック図である。この図は、上記給電制御を説明するために、アダプター３００内のアダプター制御部３１０、アダプター電源部３２０、および各種接点群３０１ｂと、カメラボディ１００内のカメラ制御部１１０、カメラ電源部１２０、および各種接点群１０１ｂと、を主に示している。なお、図４において図１，２，３の各部に対応する部分には同一の符号を付けている。
【００３８】
アダプター３００の第１マウント３０１（第１着脱部）には、カメラボディ側マウント１０１（第３着脱部）を介してカメラボディ１００が装着されている。これにより、アダプター３００の各種接点群３０１ｂは、カメラボディ１００の各種接点群１０１ｂと電気的に接続されている。
【００３９】
各種接点群３０１ｂが有する接点Ｔａ１１（第１接続部）は、各種接点群１０１ｂが有する接点Ｔｂ１１（第３接続部）と電気的に接続されている。この接点Ｔａ１１（第１接続部）と接点Ｔｂ１１（第３接続部）とを介して接続されているのは、前述したパワー系電源ＰＷＲの電源線である。そして、接点Ｔａ１１（第１接続部）には、第１マウント３０１（第１着脱部）に装着されたカメラボディ１００（第１機器）から第１蓄電池１９０による電力（パワー系電源ＰＷＲの電力（電圧））が接点Ｔｂ１１（第３接続部）を介して給電される。ここで、アダプター３００（第３機器）が、接点Ｔｂ１１（第３接続部）と接点Ｔａ１１（第１接続部）とを介してカメラボディ１００（第１機器）から給電される給電方向（図４の符号Ｐ１が示す給電方向）を「第１給電方向」と称する。
【００４０】
本実施形態では、この接点Ｔｂ１１（第３接続部）と接点Ｔａ１１（第１接続部）とを介する給電方向を切替えることにより、アダプター３００の受電部３３０に受電された受電電力を、同様に接点Ｔａ１１（第１接続部）と接点Ｔｂ１１（第３接続部）とを介して、アダプター３００からカメラボディ１００に給電するように構成したものである。ここで、アダプター３００（第３機器）が、接点Ｔａ１１（第１接続部）と接点Ｔｂ１１（第３接続部）とを介してカメラボディ１００（第１機器）へ給電する給電方向（図４の符号Ｐ２が示す給電方向）を「第２給電方向」と称する。
【００４１】
これにより、アダプター３００とカメラボディ１００とは、互いに接続するための各種接点群３０１ｂおよび各種接点群１０１ｂの接点の数を増やすことなく、アダプター３００からカメラボディ１００に受電電力を給電することができる。すなわち、各種接点群３０１ｂおよび各種接点群１０１ｂのインターフェース仕様を変更することなく、アダプター３００から受電電力をカメラボディ１００に給電することができる。よって、アダプター３００は、非接触充電方式に対応していないカメラボディ１００に搭載されている第１蓄電池１９０を、非接触充電方式により容易に充電することができる。
【００４２】
また、アダプター３００内のグランド（ＧＮＤ）とカメラボディ１００内のグランド（ＧＮＤ）とは、各種接点群３０１ｂが有する接点Ｔａ１２と各種接点群１０１ｂが有する接点Ｔｂ１２とを介して接続されている。
なお、各種接点群３０１ｂと各種接点群１０１ｂとは、上述したパワー系電源ＰＷＲ用の接点およびグランド（ＧＮＤ）用の接点以外に、不図示ながら、カメラボディ１００からアダプター制御部３１０に給電する制御系電源Ｖｃｃ用の接点、およびカメラ制御部１１０とアダプター制御部３１０との間の通信用の接点などを有している。
【００４３】
続いて、アダプター３００が備えている各部の構成について説明する。
アダプター電源部３２０は、レンズ系電源生成部３２１と、ダイオード３２５とを備えている。接点Ｔａ１１（第１接続部）は、レンズ系電源生成部３２１の入力端子に接続されている。レンズ系電源生成部３２１は、接点Ｔａ１１（第１接続部）を介してカメラボディ１００から供給されたパワー系電源ＰＷＲの電圧から、交換レンズ２００に供給するレンズ制御系電源Ｖｃの電圧とレンズ駆動系電源Ｖｐの電圧とをそれぞれ生成する。また、受電部３３０の整流回路３３２の出力端子はダイオード３２５のアノード端子に接続され、ダイオード３２５のカソード端子は接点Ｔａ１１（第１接続部）に接続されている。
【００４４】
すなわち、受電部３３０に受電された受電電力は、ダイオード３２５を介して接点Ｔａ１１（第１接続部）に供給可能である。例えば、接点Ｔａ１１（第１接続部）を介する給電方向が第２給電方向に制御された場合に、受電部３３０に受電された受電電力は、ダイオード３２５を介して接点Ｔａ１１（第１接続部）に供給される。なお、本実施形態ではダイオード３２５を介して出力される受電電力の電圧は、第１蓄電池１９０から供給されるパワー系電源ＰＷＲの電圧よりも低い電圧としている。
【００４５】
アダプター制御部３１０は、第１アダプター通信部３１１（第１通信部）と、第２アダプター通信部３１２（第２通信部）と、受電判定部３１３と、アダプター動作状態制御部３１４（第１動作状態制御部）と、を備えている。
第１アダプター通信部３１１は、第１マウント３０１に装着されたカメラボディ１００のカメラ制御部１１０と通信を行う。例えば、第１アダプター通信部３１１は、接点Ｔａ１１（第１接続部）を介する給電方向を切替えることを要求する切替え要求信号を、カメラ制御部１１０に送信する。例えば、第１アダプター通信部３１１は、接点Ｔａ１１（第１接続部）を介する給電方向を第２給電方向に切替えることを要求する「第２給電方向要求信号」を、カメラ制御部１１０に送信する。また、第１アダプター通信部３１１は、接点Ｔａ１１（第１接続部）を介する給電方向を第１給電方向に切替えることを要求する「第１給電方向要求信号」を、カメラ制御部１１０に送信する。この給電方向の切替え処理について詳しくは、後述する。また、第２アダプター通信部３１２は、第２マウントに装着された交換レンズ２００のレンズ制御部２１０（図１、２参照）と通信を行う。
【００４６】
受電判定部３１３は、受電部３３０が受電中の状態であるか否かを判定（検出）する。例えば、受電判定部３１３は、受電部３３０の整流回路３３２の出力電圧を検出し、検出した電圧に基づいて受電部３３０が受電中の状態であるか否かを判定する。
【００４７】
アダプター動作状態制御部３１４は、アダプター３００内の各部の動作状態を制御する。例えば、アダプター動作状態制御部３１４は、第１アダプター通信部３１１の動作状態を、通信処理が可能な通常動作状態（第１動作状態）と、通常動作状態に比して消費される電力が低いスリープ状態（第２動作状態）とに切替える制御を行う。また、アダプター動作状態制御部３１４は、第２アダプター通信部３１２の動作状態を、通信処理が可能な通常動作状態（第１動作状態）と、通常動作状態に比して消費される電力が低いスリープ状態（第２動作状態）とに切替える制御を行う。
以下、通常動作状態となる動作モードを通常動作モードと称し、スリープ状態となる動作モードをスリープモードと称する。例えば、第１アダプター通信部３１１および第２アダプター通信部３１２の動作モードがスリープモードの場合、通信を行うことができないが、トリガー信号が入力されることに応じて再び通信処理を開始するのに必要な最低限の回路のみ動作している状態である。
【００４８】
なお、アダプター３００内におけるスリープモードは、第１アダプター通信部３１１および第２アダプター通信部３１２の動作状態をスリープ状態にすることのみに限られるものではない。例えば、アダプター動作状態制御部３１４は、アダプター制御部３１０の動作状態またはアダプター３００内の各部の動作状態を通常動作状態から通常動作状態に比して消費される電力が低いスリープ状態に制御し（遷移させ）、再び通常動作状態に復帰するために必要な最低限の回路のみ動作している状態に制御してもよい。
【００４９】
続いて、カメラボディ１００が備えている各部の構成について説明する。
カメラ電源部１２０は、制御系電源生成部１２１と、第１蓄電池充電部１２３と、第１蓄電池電圧検出部１２４と、給電方向切替部１５０と、を備えている。
制御系電源生成部１２１は、第１蓄電池１９０から供給される電圧を変換して、カメラ制御部１１０に供給する電圧を生成する。また、制御系電源生成部１２１は、第１蓄電池１９０から供給される電圧を変換して、アダプター３００に供給する制御系電源Ｖｃｃの電圧を生成する。
【００５０】
第１蓄電池充電部１２３は、第１蓄電池１９０に電力を充電する。例えば、第１蓄電池充電部１２３は、接点Ｔｂ１１（第３接続部）と接点Ｔａ１１（第１接続部）とを介して供給された、アダプター３００の受電部３３０により受電された受電電力を第１蓄電池１９０に充電する。第１蓄電池電圧検出部１２４は、第１蓄電池１９０の電圧を検出して、検出結果をカメラ制御部１１０に送信する。
【００５１】
給電方向切替部１５０は、接点Ｔｂ１１（第３接続部）と接点Ｔａ１１（第１接続部）とを介して接続されているパワー系電源ＰＷＲの電源線により給電される給電方向（接点Ｔａ１１（第１接続部）を介する給電方向／接点Ｔｂ１１（第３接続部）を介する給電方向）を切替える。
【００５２】
例えば、給電方向切替部１５０は、ダイオード１５１と、ダイオード１５２と、スイッチ１５３と、を有している。ダイオード１５１のアノード端子は第１蓄電池１９０の正極端子に（第１蓄電池部１９０Ｂを介して）接続され、カソード端子はスイッチ１５３を介して接点Ｔｂ１１（第３接続部）に接続されている。また、ダイオード１５２のカソード端子は第１蓄電池充電部１２３の入力端子に接続され、アノード端子はスイッチ１５３を介して接点Ｔｂ１１（第３接続部）に接続されている。すなわち、第１蓄電池１９０の正極端子からダイオード１５１を介して接点Ｔｂ１１（第３接続部）に接続される給電系統（パワー系電源ＰＷＲの電源線による給電系統）の給電方向が第１給電方向であって、接点Ｔｂ１１（第３接続部）からダイオード１５２を介して第１蓄電池充電部１２３の入力端子に接続される給電系統の給電方向が第２給電方向である。
【００５３】
スイッチ１５３は、カメラ制御部１１０の制御により、接点ａと接点ｂとの接続状態、または接点ａと接点ｃとの接続状態を導通状態にするか否か（導通状態にするかまたは遮断状態にするか）を切替える。例えば、スイッチ１５３は、カメラ制御部１１０の制御により、接点Ｔｂ１１（第３接続部）をダイオード１５１のカソード端子に接続するか、または接点Ｔｂ１１（第３接続部）をダイオード１５２のアノード端子に接続するか、を切替える。すなわち、給電方向切替部１５０は、カメラ制御部１１０の制御により、スイッチ１５３の接続状態を切替えて、接点Ｔｂ１１（第３接続部）および接点Ｔａ１１（第１接続部）を介する給電方向を第１給電方向または第２給電方向に切替える。
【００５４】
カメラ制御部１１０は、カメラ通信部１１１（第３通信部）と、給電方向制御部１１２と、カメラ動作状態制御部１１３（第２動作状態制御部）と、を備えている。
【００５５】
カメラ通信部１１１は、カメラボディ側マウント１０１に装着されたアダプター３００の第１アダプター通信部３１１と通信を行う。例えば、カメラ通信部１１１は、接点Ｔｂ１１（第３接続部）を介する給電方向を切替えることを要求する切替え要求信号を、第１アダプター通信部３１１から受信する。具体的には、カメラ通信部１１１は、接点Ｔｂ１１（第３接続部）を介する給電方向を、第２給電方向に切替えることを要求する第２給電方向要求信号を、第１アダプター通信部３１１から受信する。また、カメラ通信部１１１は、接点Ｔｂ１１（第３接続部）を介する給電方向を、第１給電方向に切替えることを要求する第１給電方向要求信号を、第１アダプター通信部３１１から受信する。そして、カメラ通信部１１１は、第１給電方向要求信号または第２給電方向要求信号を受信した場合、受信結果を給電方向制御部１１２に送信（通知）する。また、カメラ通信部１１１は、給電方向制御部１１２が給電方向切替部１５０における給電方向を切替えた後、切替えたこと（切替えが完了したこと）を示す切替完了信号を第１アダプター通信部３１１に送信する。
【００５６】
給電方向制御部１１２は、給電方向切替部１５０における給電方向の切替えを制御する。例えば、給電方向制御部１１２は、カメラ通信部１１１によりアダプター３００のアダプター制御部３１０（第１アダプター通信部３１１）から受信された受信結果に基づいて、接点Ｔｂ１１（第３接続部）を介する給電方向を第１給電方向または第２給電方向に切替える制御をする。
【００５７】
カメラ動作状態制御部１１３は、カメラボディ１００内の各部の動作状態を制御する。例えば、カメラ動作状態制御部１１３は、カメラ通信部１１１の動作状態を、通信処理が可能な通常動作状態（第１動作状態）と、通常動作状態に比して消費される電力が低いスリープ状態（第２動作状態）とに切替える制御を行う。
例えば、カメラ通信部１１１の動作モードがスリープモードの場合、通信を行うことができないが、トリガー信号が入力されることに応じて再び通信処理を開始するのに必要な最低限の回路のみ動作している状態である。
【００５８】
なお、カメラボディ１００内におけるスリープモードは、カメラ通信部１１１の動作状態をスリープ状態にすることのみに限られるものではない。例えば、カメラ動作状態制御部１１３は、カメラ制御部１１０の動作状態またはカメラボディ１００内の各部の動作状態を通常動作状態から通常動作状態に比して消費される電力が低いスリープ状態に制御し（遷移させ）、再び通常動作状態に復帰するために必要な最低限の回路のみ動作している状態に制御してもよい。一例として、カメラボディ１００内におけるスリープモードは、第１蓄電池充電部１２３が第１蓄電池１９０を充電する充電処理に必要な最低限の回路のみ動作している状態であってもよい。
【００５９】
（給電方向の切替え処理）
続いて、給電方向の切替え処理の動作について詳しく説明する。
この給電方向の切替え処理は、カメラボディ１００と、カメラボディ１００に装着されたアダプター３００との間で接続されたパワー電源ＰＷＲの電源線を介して行われる給電方向の切替え処理である。具体的には、カメラボディ１００とアダプター３００とは、接点Ｔｂ１１（第３接続部）と接点Ｔａ１１（第１接続部）とを介する給電方向を、第１給電方向および第２給電方向のうちの何れかの給電方向に切替える。
【００６０】
アダプター３００の第１アダプター通信部３１１は、接点Ｔａ１１（第１接続部）を介する給電方向を切替えることを要求する切替え要求信号を、カメラボディ１００に送信する。例えば、第１アダプター通信部３１１は、受電判定部３１３により受電部３３０が受電中の状態であることが検出された場合、接点Ｔａ１１（第１接続部）を介する給電方向を第２給電方向に切替えることを要求する第２給電方向要求信号を、上述の切替え要求信号としてカメラボディ１００に送信する。
【００６１】
一例としては、カメラシステム１が撮影処理を行うことが可能な動作状態、すなわち、接点Ｔｂ１１（第３接続部）と接点Ｔａ１１（第１接続部）とを介する給電方向が第１給電方向の状態において、受電判定部３１３により受電部３３０が受電中の状態であることが検出された場合、第１アダプター通信部３１１は、第２給電方向要求信号をカメラボディ１００に送信する。
【００６２】
また、例えばアダプター３００からの受電電力をカメラボディ１００の第１蓄電池１９０に充電中の状態、すなわち接点Ｔｂ１１（第３接続部）と接点Ｔａ１１（第１接続部）とを介する給電方向が第２給電方向の状態において、受電判定部３１３により受電部３３０が非受電中の状態であることが検出された場合、第１アダプター通信部３１１は、この給電方向を第１給電方向に切替えることを要求する第１給電方向要求信号を、上述の切替え要求信号としてカメラボディ１００に送信する。
【００６３】
なお、第１アダプター通信部３１１が第１給電方向要求信号または第２給電方向要求信号をカメラボディ１００に送信する処理は、受電判定部３１３による判定結果に基づく処理に限られるものではない。例えば、アダプター３００が給電方向を切替えるための操作スイッチを備えており、給電方向を切替える操作がされたことをアダプター制御部３１０が検出した場合に、第１アダプター通信部３１１は、第１給電方向要求信号または第２給電方向要求信号をカメラボディ１００に送信してもよい。また、アダプター３００には、例えば給電パッド５００に載置されたことを検出する検出部（メカ的に検出、または電気的（光学的）に検出する検出部）が設けられており、この検出部の検出結果に基づいて、第１アダプター通信部３１１は、第１給電方向要求信号または第２給電方向要求信号をカメラボディ１００に送信してもよい。
【００６４】
一方、カメラボディ１００の給電方向制御部１１２は、カメラ通信部１１１により第１アダプター通信部３１１から受信された受信結果に基づいて、接点Ｔｂ１１（第３接続部）を介する給電方向を切替える。例えば、給電方向制御部１１２は、第２給電方向要求信号が、カメラ通信部１１１によりアダプター３００から受信された場合、給電方向切替部１５０を制御することにより第２給電方向に切替える。そして、カメラ通信部１１１は、給電方向制御部１１２の制御により第１給電方向から第２給電方向に切替えた後、第２給電方向に切替えたことを示す切替完了信号を第１アダプター通信部３１１に送信する。
【００６５】
上述した第２給電方向への切替え処理が行われることにより、アダプター３００の受電部３３０に受電された受電電力が、接点Ｔａ１１（第１接続部）と接点Ｔｂ１１（第３接続部）とを介して、カメラボディ１００に給電される。カメラボディ１００の第１蓄電池充電部１２３は、この接点Ｔｂ１１（第３接続部）を介して給電された電力を第１蓄電池に対して充電する。
【００６６】
また、給電方向制御部１１２は、第１給電方向要求信号が、カメラ通信部１１１により第１アダプター通信部３１１から受信された場合、給電方向切替部１５０を制御することにより第１給電方向に切替える。例えば、カメラボディ１００は、アダプター３００から第１給電方向要求信号を受信した場合、第１蓄電池充電部１２３による第１蓄電池１９０への充電を終了して、給電方向切替部１５０を制御することにより第１給電方向に切替える。そして、カメラ通信部１１１は、給電方向制御部１１２の制御により第２給電方向から第１給電方向に切替えた後、第１給電方向に切替えたことを示す切替完了信号を第１アダプター通信部３１１に送信する。これにより、カメラシステム１は、カメラボディ１００からアダプター３００へ給電する第１給電方向に戻し、カメラボディ１００の制御により撮影処理を行うことが可能な動作状態、または主電源がオフされた状態などに遷移する。
【００６７】
図５は、カメラシステム１における給電切替え処理の一例を示すフローチャートである。この図を参照して、カメラシステム１における給電切替え処理の動作の一例について説明する。なお、この図に示すフローチャートは、カメラシステム１が例えば撮影処理が可能な通常動作モードの状態において、アダプター３００の受電部３３０に電力が受電された場合の処理を示している。また、この図に示す報知処理は、第１蓄電池１９０が充電中の場合に、報知部１７０が有するＬＥＤを点灯させてユーザに報知する処理の一例である。
【００６８】
カメラ制御部１１０は、給電方向切替え処理（ステップＳ１１０）を実行する。この給電方向切替え処理において、まず、給電方向制御部１１２は、第２給電方向への切替え要求があるか否かを判定する。例えば、給電方向制御部１１２は、カメラ通信部１１１が第１アダプター通信部３１１から「第２給電方向要求信号」を受信するか否かによって、第２給電方向への切替え要求があるか否かを判定する（ステップＳ１１１）。給電方向制御部１１２は、このステップＳ１１１の処理を、カメラ通信部１１１が第１アダプター通信部３１１から「第２給電方向要求信号」を受信するまで、繰り返し実行する。
【００６９】
一方、アダプター制御部３１０は、受電電力判定処理（ステップＳ２００）を実行する。受電判定部３１３は、受電部３３０の整流回路３３２の出力電圧を検出し、検出した電圧に基づいて受電電力を検出する（ステップＳ２０５）。そして、受電判定部３１３は、検出した受電電力に基づいて、受電部３３０が受電中の状態であるか否かを判定する（ステップＳ２０６）。ステップＳ２０６において、受電中の状態ではない非受電中であると判定された場合、受電判定部３１３は、ステップＳ２０５に処理を戻し、ステップＳ２０５およびステップＳ２０６の処理を繰り返し実行する。一方、ステップＳ２０６において、受電中の状態であると判定された場合、第１アダプター通信部３１１は、「第２給電方向要求信号」をカメラ通信部１１１に送信して（ステップＳ２０７）、受電電力判定処理（ステップＳ２００）を終了する。
【００７０】
次に、カメラ通信部１１１が第１アダプター通信部３１１から「第２給電方向要求信号」を受信することにより、ステップＳ１１１において、給電方向制御部１１２は、第２給電方向への切替え要求があったと判定してステップＳ１１２に処理を進める。ステップＳ１１２において、カメラ通信部１１１は、第１蓄電池１９０の充電を開始するための準備を指令する「充電開始準備指令（コマンド）」を、第１アダプター通信部３１１に対して送信する（ステップＳ１１２）。
【００７１】
アダプター制御部３１０は、第１アダプター通信部３１１がカメラ通信部１１１から「充電開始準備指令」を受信した場合、アダプター電源部３２０を制御して、交換レンズ２００に対するレンズ系電源系統の給電を停止させる（ステップＳ２１０）。これにより、交換レンズ２００内の回路（レンズ制御部２１０、光学系駆動部２３０、絞り駆動部２３３など）の動作が停止する（ステップＳ３１０）。
【００７２】
給電方向制御部１１２は、カメラ通信部１１１が「充電開始準備指令」を、第１アダプター通信部３１１に対して送信した後、接点Ｔｂ１１（第３接続部）を介する給電方向を第１給電方向から第２給電方向に切替える（ステップＳ１２０）。続いて、給電方向制御部１１２の制御により給電方向が第２給電方向に切替わった後に、カメラ通信部１１１は、第２給電方向に切替えたことを示す「切替完了信号」を第１アダプター通信部３１１に送信（切替え完了を通知）して（ステップＳ１２２）、給電方向切替え処理（ステップＳ１１０）を終了する。
【００７３】
次に、給電方向切替部１５０における給電方向が第２給電方向に切替わることにより、カメラボディ１００に対して、受電部３３０に受電された受電電力の供給（給電）が開始される（ステップＳ２２０）。
【００７４】
続いて、第１蓄電池充電部１２３は、アダプター３００から接点Ｔａ１１（第１接続部）および接点Ｔｂ１１（第３接続部）を介して供給された受電電力を第１蓄電池１９０に充電開始する（ステップＳ１２４）。そして、カメラ制御部１１０は、充電中であることを報知するために、報知部１７０のＬＥＤを点灯させる（ステップＳ１２６）。
【００７５】
このように、アダプター３００とカメラボディ１００とは、接点Ｔａ１１（第１接続部）と接点Ｔｂ１１（第３接続部）とを介して接続されたパワー系電源ＰＷＲの電源線における給電方向を切替える制御をする。例えば、アダプター３００の受電部３３０に電力が受電された場合、接点Ｔａ１１（第１接続部）と接点Ｔｂ１１（第３接続部）とを介する給電方向を切替えることにより、この受電電力をカメラボディ１００に対して給電する。
これにより、アダプター３００とカメラボディ１００とは、互いに接続するための各種接点群３０１ｂおよび各種接点群１０１ｂの接点の数を増やすことなく、アダプター３００からカメラボディ１００に受電電力を給電することができる。すなわち、各種接点群３０１ｂおよび各種接点群１０１ｂのインターフェース仕様を変更することなく、アダプター３００から受電電力をカメラボディ１００に給電することができる。よって、アダプター３００は、非接触充電方式に対応していないカメラボディ１００に搭載されている第１蓄電池１９０を、非接触充電方式により容易に充電することができる。すなわち、第１実施形態によれば、アダプター３００は、装着されたカメラボディ１００に搭載されている第１蓄電池１９０を容易に充電することができる。
【００７６】
次に、図６を参照して、図５に示す受電電力判定処理（ステップＳ２００）についてさらに説明する。
図６は、図５に示す受電電力判定処理（ステップＳ２００）の別の例を示すフローチャートである。この図に示す受電電力判定処理は、アダプター３００内において、受電電力を検出した際に、現在の給電方向に基づいた給電方向切替え要求を送信する処理の一例である。なお、図６において図５と対応する各処理には同一の符号を付けている。
【００７７】
まず、アダプター制御部３１０は、現在の給電方向が第１給電方向であるか否かを判定する（ステップＳ２０１）。ステップＳ２０１において、現在の給電方向が第１給電方向であると判定された場合、アダプター制御部３１０は、第１給電方向における処理（ステップＳ２０２）に処理を進める。
【００７８】
この第１給電方向における処理は、図５を用いて説明したステップＳ２０５〜Ｓ２０７と同様の処理である。まず、受電判定部３１３は、受電部３３０の整流回路３３２の出力電圧を検出し、検出した電圧に基づいて受電電力を検出する（ステップＳ２０５）。そして、受電判定部３１３は、検出した受電電力に基づいて、受電部３３０が受電中の状態であるか否かを判定する（ステップＳ２０６）。ステップＳ２０６において、受電中の状態ではない非受電中の状態であると判定された場合、受電判定部３１３は、ステップＳ２０５に処理を戻し、ステップＳ２０５およびステップＳ２０６の処理を繰り返し実行する。一方、ステップＳ２０６において、受電中の状態であると判定された場合、第１アダプター通信部３１１は、「第２給電方向要求信号」をカメラ通信部１１１に送信して（ステップＳ２０７）、受電電力判定処理（ステップＳ２００）を終了する。
【００７９】
一方、ステップＳ２０１において、現在の給電方向が第１給電方向でないと判定された場合、アダプター制御部３１０は、第２給電方向における処理（ステップＳ２３５）に処理を進める。まず、受電判定部３１３は、ステップＳ２０５の処理と同様に、受電部３３０の整流回路３３２の出力電圧を検出することにより受電部３３０の受電電力を検出する（ステップＳ２３５）。そして、受電判定部３１３は、検出した受電電力に基づいて、受電部３３０が受電中の状態であるか否かを判定する（ステップＳ２３６）。ステップＳ２３６において、受電中の状態であると判定された場合、受電判定部３１３は、ステップＳ２３５に処理を戻し、ステップＳ２３５およびステップＳ２３６の処理を繰り返し実行する。一方、ステップＳ２３６において、受電中の状態ではない非受電中の状態であると判定された場合、第１アダプター通信部３１１は、「第１給電方向要求信号」をカメラ通信部１１１に送信して（ステップＳ２３７）、受電電力判定処理（ステップＳ２００）を終了する。
【００８０】
このように、受電判定部３１３は、受電部３３０が受電中の状態であるか否かを検出する。そして、第１アダプター通信部３１１は、現在の給電方向と、受電判定部３１３の判定結果とに基づいて、第１給電方向要求信号または第２給電方向要求信号をカメラ通信部１１１に対して送信する。これにより、アダプター３００は、現在の給電方向が第１給電方向である場合において、受電部３３０が受電中の状態となった場合、第２給電方向要求信号をカメラ通信部１１１に対して送信することができる。よって、アダプター３００は、受電部３３０が受電中の状態となった場合に、カメラボディ１００に対して受電電力の給電が可能になったことを示す情報、または給電方向を第２給電方向に切替える指令を通知することができる。
【００８１】
一方、アダプター３００は、現在の給電方向が第２給電方向である場合において、受電部３３０が非受電中の状態となった場合、第１給電方向要求信号をカメラ通信部１１１に対して送信することができる。よって、アダプター３００は、受電部３３０が非受電中の状態となった場合に、カメラボディ１００に対して受電電力の給電が不可能になったことを示す情報、または給電方向を第１給電方向に切替える指令を通知することができる。
【００８２】
次に、図７を参照して、図５に示す給電方向切替え処理（ステップＳ１１０）についてさらに説明する。
図７は、図５に示す給電方向切替え処理（ステップＳ１１０）の別の例を示すフローチャートである。この図に示す給電方向切替え処理は、カメラボディ１００内において、第１蓄電池１９０の電圧（充電状態）に基づいて給電方向を切り替える処理の一例である。なお、図７において図５と対応する各処理には同一の符号を付けている。
【００８３】
給電方向制御部１１２は、第２給電方向への切替え要求があるか否かを判定する（ステップＳ１１１）。カメラ通信部１１１が第１アダプター通信部３１１から「第２給電方向要求信号」を受信することにより、ステップＳ１１１において、給電方向制御部１１２は第２給電方向への切替え要求があったと判定して、ステップＳ１１２に処理を進める。
【００８４】
次に、カメラ制御部１１０は、充電開始準備の処理を実行する（ステップＳ１１２）。なお、図５に示す処理では、このステップＳ１１２の処理により、カメラ通信部１１１が、「充電開始準備指令」を、第１アダプター通信部３１１に対して送信したが、この図７に示す処理では、第１蓄電池１９０の電圧に基づく判定処理が加わる。
【００８５】
カメラ制御部１１０は、第１蓄電池電圧検出部１２４が検出した第１蓄電池１９０の電圧を受信（取得）する（ステップＳ１１４）。そして、カメラ制御部１１０は、取得した第１蓄電池１９０の電圧が所定の閾値より低下しているか否か（所定の閾値未満であるか否か）を判定する（ステップＳ１１６）。ここで、所定の閾値とは、第１蓄電池１９０の電圧が、充電が必要な電圧であるか否かを判定するために予め定められた閾値である。
【００８６】
ステップＳ１１６において、第１蓄電池１９０の電圧が所定の閾値以上であると判定された場合、カメラ制御部１１０は、第１蓄電池１９０に対する充電が不要であると判定して、ステップＳ１１１に処理を戻す。一方、ステップＳ１１６において、第１蓄電池１９０の電圧が所定の閾値未満であると判定した場合、カメラ制御部１１０は、第１蓄電池１９０に対する充電が必要であると判定して、ステップＳ１１８に処理を進める。ステップＳ１１８において、カメラ通信部１１１は、アダプター３００にレンズ系電源系統の給電停止を指令するために、「充電開始準備指令」を第１アダプター通信部３１１に対して送信する（ステップＳ１１８）。
【００８７】
そして、給電方向制御部１１２は、接点Ｔｂ１１（第３接続部）を介する給電方向を第１給電方向から第２給電方向に切替える（ステップＳ１２０）。続いて、カメラ通信部１１１は、第２給電方向に切替えたことを示す「切替完了信号」を第１アダプター通信部３１１に送信（切替え完了を通知）して（ステップＳ１２２）、給電方向切替え処理（ステップＳ１１０）を終了する。
【００８８】
このように、給電方向制御部１１２は、接点Ｔｂ１１（第３接続部）を介する給電方向を第１給電方向に制御している状態において、カメラ通信部１１１により第２給電方向要求信号が第１アダプター通信部３１１から受信された際に、第１蓄電池１９０の電圧に基づいて、給電方向の切替えを制御する。例えば、給電方向制御部１１２は、第１蓄電池電圧検出部１２４により第１蓄電池１９０の電圧が所定の閾値電圧より低下していると検出された場合、給電方向切替部１５０を制御することにより、接点Ｔｂ１１（第３接続部）を介する給電方向を第１給電方向から第２給電方向に切替える。一方、給電方向制御部１１２は、第１蓄電池電圧検出部１２４により第１蓄電池１９０の電圧が所定の閾値電圧以上であると検出された場合、接点Ｔｂ１１（第３接続部）を介する給電方向を第１給電方向のまま継続する。
【００８９】
これにより、カメラボディ１００は、給電方向が第１給電方向である場合において、アダプター３００から第２給電方向要求信号を受信した場合、第１蓄電池１９０の電圧に基づいて、給電方向を第２給電方向に切替えることができる。例えば、カメラボディ１００は、第１蓄電池１９０の電圧に基づいて、第１蓄電池１９０に対して充電が不要と判定した場合は、給電方向を第１給電方向のまま継続することができる。一方、カメラボディ１００は、第１蓄電池１９０の電圧に基づいて、第１蓄電池１９０に対して充電が必要と判定した場合は、給電方向を第２給電方向に切替えることができる。すなわち、カメラボディ１００は、アダプター３００から受信した第２給電方向要求信号と第１蓄電池１９０の電圧とに基づいて、必要に応じて（第１蓄電池１９０に対する充電が必要か否かに応じて）給電方向を第２給電方向に切替えることができる。そして、カメラボディ１００は、給電方向を第２給電方向に切替えることにより、アダプター３００から供給された受電電力を第１蓄電池１９０に充電することが可能になる。
【００９０】
次に、図８を参照して、第１蓄電池１９０に対する充電を終了する場合の給電切替え処理について説明する。
図８は、第１蓄電池１９０に対する充電を終了する場合の給電切替え処理の一例を示すフローチャートである。この図に示す給電切替え処理は、受電電力を第１蓄電池１９０に充電している充電中の状態において、受電部３３０が非受電中状態となった場合の処理の一例である。なお、図８において図５〜７と対応する各処理には同一の符号を付けている。
【００９１】
受電部３３０が受電中の状態であって、第１蓄電池充電部１２３が受電電力を第１蓄電池１９０に充電している状態である。すなわち、給電方向制御部１１２は、給電方向切替部１５０を制御することにより、接点Ｔａ１１（第１接続部）および接点Ｔｂ１１（第３接続部）を介する給電方向を第２給電方向に制御している。また、第１蓄電池充電部１２３は、アダプター３００から接点Ｔａ１１（第１接続部）および接点Ｔｂ１１（第３接続部）を介して供給された受電電力を第１蓄電池１９０に充電している充電中の状態である（ステップＳ１３１）。
【００９２】
次に、給電方向制御部１１２は、給電方向の切替え要求があるか否かを判定する。例えば、給電方向制御部１１２は、カメラ通信部１１１が第１アダプター通信部３１１から第「１給電方向要求信号」を受信するか否かによって、第１給電方向への切替え要求があるか否かを判定する（ステップＳ１３２）。給電方向制御部１１２は、このステップＳ１１１の処理を、カメラ通信部１１１が第１アダプター通信部３１１から「第１給電方向要求信号」を受信するまで、繰り返し実行する。
【００９３】
一方、アダプター制御部３１０は、図６に示す受電電力判定処理（ステップＳ２００）を実行する。受電判定部３１３は、受電部３３０の整流回路３３２の出力電圧を検出することにより受電電力を検出する（ステップＳ２３５）。そして、受電判定部３１３は、検出した受電電力に基づいて、受電部３３０が受電中の状態であるか否かを判定する（ステップＳ２３６）。ステップＳ２３６において、受電中の状態であると判定された場合、受電判定部３１３は、ステップＳ２３５に処理を戻し、ステップＳ２３５およびステップＳ２３６の処理を繰り返し実行する。一方、ステップＳ２３６において、受電中の状態ではない非受電中の状態であると判定された場合、第１アダプター通信部３１１は、「第１給電方向要求信号」をカメラ通信部１１１に送信して（ステップＳ２３７）、受電電力判定処理（ステップＳ２００）を終了する。
【００９４】
次に、カメラ通信部１１１が第１アダプター通信部３１１から「第１給電方向要求信号」を受信することにより、ステップＳ１３２において、給電方向制御部１１２は第１給電方向への切替え要求があったと判定して、ステップＳ１４０に処理を進める。ステップＳ１４０において、第１蓄電池充電部１２３は、第１蓄電池１９０に対する充電処理を終了（中断）する。続いて、カメラ制御部１１０は、「充電中」の状態から「非充電中」の状態になったことを報知するために、点灯させていた報知部１７０のＬＥＤを消灯する（ステップＳ１４２）。
【００９５】
次に、給電方向制御部１１２は、接点Ｔｂ１１（第３接続部）を介する給電方向を第２給電方向から第１給電方向に切替える（ステップＳ１４６）。続いて、給電方向制御部１１２の制御により給電方向が第１給電方向に切替わった後に、カメラ通信部１１１は、第１給電方向に切替えたことを示す「切替完了信号」を第１アダプター通信部３１１に送信（切替え完了を通知）する（ステップＳ１４８）。
【００９６】
アダプター制御部３１０は、第１アダプター通信部３１１がカメラ通信部１１１から「切替完了信号」を受信した場合、アダプター電源部３２０を制御して、交換レンズ２００に対するレンズ系電源系統の給電を開始させる（ステップＳ２４８）。これにより、交換レンズ２００内の回路（レンズ制御部２１０、光学系駆動部２３０、絞り駆動部２３３など）の動作が開始される（ステップＳ３４８）。
【００９７】
このように、アダプター３００からカメラボディ１００に対して受電電力が給電されている状態（第２給電方向に制御されて受電電力が給電されている状態）において、受電部３３０が非受電中の状態となった場合、カメラボディ１００は、第１蓄電池１９０に対する充電を終了（中断）する。また、アダプター３００は、接点Ｔａ１１（第１接続部）と接点Ｔｂ１１（第３接続部）とを介する給電方向を第２給電方向から第１給電方向に切替えることを要求する第１給電方向切り替え要求信号をカメラボディ１００に送信する。
【００９８】
これにより、カメラボディ１００は、アダプター３００からカメラボディ１００に対して受電電力が給電されている状態（第２給電方向に制御されて受電電力が給電されている状態）において、受電部３３０が非受電中の状態となった場合、第１蓄電池１９０に対する充電を終了（中断）することができる。また、この場合、カメラボディ１００は、給電方向を第２給電方向から第１給電方向に切替えることができる。よって、カメラボディ１００は、アダプター３００の受電部３３０が非受電中の状態となった場合、第１蓄電池１９０に対する充電を終了（中断）して、通常動作状態に復帰することができる。
なお、カメラボディ１００は、アダプター３００の受電部３３０が非受電中の状態となった場合、第１蓄電池１９０に対する充電を終了（中断）した後に、通常動作状態に制御するのに代えて、電源オフの状態に制御してもよい。
【００９９】
次に、図９を参照して、第１蓄電池１９０が充電中の場合にカメラシステム１がスリープモードに移行するスリープ処理について説明する。
図９は、第１蓄電池１９０が充電中の場合にカメラシステム１がスリープモードに移行するスリープ処理の一例を示している。この図に示すスリープ処理は、第１蓄電池１９０が充電中の場合、アダプター制御部３１０またはカメラ制御部１１０の動作状態がスリープ状態に移行する処理の一例である。なお、図９において図５〜８と対応する各処理には同一の符号を付けている。
【０１００】
図５に示す処理と同様に、まず、カメラ制御部１１０は、給電方向切替え処理（ステップＳ１１０）を実行する。一方、アダプター制御部３１０も、受電電力判定処理（ステップＳ２００）を実行する。受電判定部３１３により受電部３３０が受電中の状態であると判定された場合、第１アダプター通信部３１１は、「第２給電方向要求信号」をカメラ通信部１１１に送信する（ステップＳ２０７）。
【０１０１】
カメラ通信部１１１は、第１アダプター通信部３１１から「第２給電方向要求信号」を受信することにより、「充電開始準備指令」を第１アダプター通信部３１１に対して送信する（ステップＳ１１２）。アダプター制御部３１０は、第１アダプター通信部３１１がカメラ通信部１１１から「充電開始準備指令」を受信した場合、アダプター電源部３２０を制御して、レンズ系電源系統の交換レンズ２００に対する給電を停止させる（ステップＳ２１０）。これにより、交換レンズ２００内の回路（レンズ制御部２１０、光学系駆動部２３０、絞り駆動部２３３など）の動作が停止する（ステップＳ３１０）。
【０１０２】
給電方向制御部１１２は、カメラ通信部１１１が「充電開始準備指令」を、第１アダプター通信部３１１に対して送信した後、接点Ｔｂ１１（第３接続部）を介する給電方向を第１給電方向から第２給電方向に切替えて、「切替完了信号」を第１アダプター通信部３１１に送信（切替え完了を通知）（ステップＳ１２２）する。
【０１０３】
第１アダプター通信部３１１が「切替完了信号」を受信した場合、アダプター動作状態制御部３１４は、アダプター制御部３１０をスリープモードに遷移させ、少なくとも第１アダプター通信部３１１の動作状態を通常動作状態からスリープ状態に切替える（ステップＳ２１２）。なお、アダプター動作状態制御部３１４は、アダプター制御部３１０をスリープモードに遷移させて、受電部３３０が電力を受電して、受電電力をカメラボディ１００に給電可能な最低限の回路のみ動作している状態に制御してもよい。
【０１０４】
カメラ動作状態制御部１１３は、アダプター制御部３１０がスリープモードに遷移することに応じて、カメラ制御部１１０をスリープモードに遷移させ、少なくともカメラ通信部１１１の動作状態を通常動作状態からスリープ状態に切替える（ステップＳ１２３）。なお、カメラ動作状態制御部１１３は、カメラ制御部１１０をスリープモードに遷移させて、第１蓄電池充電部１２３が第１蓄電池１９０を充電する充電処理に必要な最低限の回路のみ動作している状態に制御してもよい。
【０１０５】
次に、第１蓄電池充電部１２３は、供給された受電電力を第１蓄電池１９０に充電開始する（ステップＳ１２４）。これにより、第１蓄電池充電部１２３は、第１蓄電池１９０への充電処理を実行して、第１蓄電池１９０が充電中の状態となる（ステップＳ１３１）。
【０１０６】
続いて、カメラ制御部１１０は、第１蓄電池１９０への充電が完了（または終了）したか否かを判定する（ステップＳ１４４）。ここで、第１蓄電池１９０への充電の完了とは、例えば、第１蓄電池１９０が満充電状態になって（第１蓄電池１９０の電圧が、それ以上充電が不要な電圧になって）充電処理を完了する場合である。この場合は、例えば、第１蓄電池充電部１２３が第１蓄電池１９０の充電状態を監視して、満充電状態になったことをカメラ制御部１１０に通知してもよいし、カメラ制御部１１０が第１蓄電池１９０の電圧を、第１蓄電池電圧検出部１２４を介して検出することにより第１蓄電池１９０が満充電状態になったことを検出してもよい。また、第１蓄電池１９０への充電の終了（中断）とは、例えば、カメラ通信部１１１が、第１アダプター通信部３１１から「第１給電方向要求信号」を受信した場合（すなわち、受電部３３０が非受電中の状態になった場合）である。
【０１０７】
ステップＳ１４４において、第１蓄電池１９０への充電が完了（または終了）していないと判定された場合、カメラ制御部１１０は、ステップＳ１３１に処理を戻し、第１蓄電池充電部１２３が第１蓄電池１９０に受電電力を充電する充電処理を継続させる。一方、ステップＳ１４４において、第１蓄電池１９０への充電が完了（または終了）したと判定された場合、カメラ制御部１１０は、ステップＳ１４５に処理を進める。
【０１０８】
ステップＳ１４５において、カメラ動作状態制御部１１３は、カメラ制御部１１０のスリープモードを解除して、カメラ制御部１１０（またはカメラ通信部１１１）をスリープ状態から通常動作状態に切替える（ステップＳ１４５）。次に、カメラ通信部１１１は、通常動作状態に復帰したことに応じて、第１アダプター通信部３１１に対する通信を開始する。アダプター動作状態制御部３１４は、カメラ通信部１１１からの通信開始のトリガー信号を第１アダプター通信部３１１が受信した場合、アダプター制御部３１０のスリープモードを解除して、アダプター制御部３１０（または第１アダプター通信部３１１）をスリープ状態から通常動作状態に切替える（ステップＳ２４５）。
【０１０９】
以降の処理は、図８に示すステップＳ１４６〜Ｓ３４８の処理と同様である。カメラ制御部１１０は、給電方向を第１給電方向に切替えて（ステップＳ１４６）、「切替え完了信号」をアダプター制御部３１０に送信（通知）する（ステップＳ１４８）。これにより、アダプター３００は、レンズ系電源系統の電圧を生成して交換レンズ２００への給電を開始する（ステップＳ２４８）。そして、交換レンズ２００内の回路（レンズ制御部２１０、光学系駆動部２３０、絞り駆動部２３３など）の動作が開始される（ステップＳ３４８）。
【０１１０】
このように、第１アダプター通信部３１１は、「第２給電方向要求信号」をカメラ通信部１１１に送信したことに応じて、接点Ｔａ１１（第１接続部）を介する給電方向が第２給電方向に切替えられたことを示す「切替完了信号」を、カメラ通信部１１１から受信
する。アダプター動作状態制御部３１４は、この「切替完了信号」を、第１アダプター通信部３１１がカメラ通信部１１１から受信した場合、第１アダプター通信部３１１の動作状態をスリープ状態に切替える。また、カメラ動作状態制御部１１３は、カメラ通信部１１１の動作状態をスリープ状態に切替える。なお、カメラ動作状態制御部１１３は、カメラボディ１００内の回路を、第１蓄電池１９０を充電するための回路、およびトリガー信号に応じて再び通信処理を開始するのに必要な最低限の回路のみ動作している状態に制御してもよい。また、第１蓄電池１９０に対する充電が完了または終了した場合、アダプター動作状態制御部３１４およびカメラ動作状態制御部１１３は、それぞれスリープ状態に制御していた各部の動作状態を、通常動作状態に切替える。
【０１１１】
これにより、アダプター３００とカメラボディ１００とは、アダプター３００を介して供給される受電電力を第１蓄電池１９０に充電する場合に、交換レンズ２００の動作を停止させるとともに、カメラボディ１００とアダプター３００とをスリープモードにすることができる。よって、アダプター３００とカメラボディ１００とは、受電電力を第１蓄電池１９０に充電する場合に、充電の妨げとなるようなノイズの発生を防止することができる。また、アダプター３００とカメラボディ１００とは、充電処理が完了または終了した場合、スリープ状態から復帰することができる。
【０１１２】
＜第２実施形態＞
次に、第２実施形態について説明する。
図１０は、第２実施形態によるアダプター３００Ａとカメラボディ１００との給電制御に関する構成の一例を示す概略ブロック図である。この図に示す構成は、図４のアダプター３００に代えて、第２蓄電池３９０を搭載しているアダプター３００Ａを備えている点で第１実施形態と異なる。なお、図１０において、図４と対応する各部には同一の符号を付けており、その説明を省略する。
【０１１３】
アダプター３００Ａは、第２蓄電池３９０（バッテリー）を収納する第２蓄電池部３９０Ｂを備えている。また、アダプター電源部３２０Ａは、第２蓄電池３９０に電力を充電する第２蓄電池充電部３２３と、第２蓄電池３９０の電圧を検出する第２蓄電池電圧検出部３２４と、レンズ系電源生成部３２１への給電を接点Ｔａ１１（第１接続部）からの給電および第２蓄電池３９０からの給電のうちの何れかに切替える切替部３２２と、を備えている。さらに、アダプター制御部３１０Ａは、給電制御部３１５を備えている。
【０１１４】
第２蓄電池３９０は、第１蓄電池１９０と同様に、充電可能な２次電池であり、例えばリチウム電池やリチウムイオン電池、ニッケル水素電池などを用いることができる。第２蓄電池充電部３２３は、第２蓄電池３９０に対して電力を充電する。例えば、第２蓄電池充電部３２３は、受電部３３０により受電された受電電力を第２蓄電池３９０に対して充電する。具体的には、第２蓄電池充電部３２３は、受電部３３０が受電中の状態である場合、受電部３３０により受電された受電電力を第２蓄電池３９０に対して充電する。第２蓄電池電圧検出部３２４は、第２蓄電池３９０の電圧を検出して、検出結果をアダプター制御部３１０Ａに送信する。なお、第２蓄電池充電部３２３は、第２蓄電池電圧検出部３２４の検出結果に基づいて、第２蓄電池３９０に対する充電を制御してもよい。
【０１１５】
切替部３２２は、レンズ系電源生成部３２１に対して、パワー系電源ＰＷＲの電圧および第２蓄電池３９０の電圧のうちの何れの電圧を供給するかを切替える。例えば、切替部３２２は、アダプター制御部３１０Ａの制御により、レンズ系電源生成部３２１の入力端子を、接点Ｔａ１１（第１接続部）および第２蓄電池３９０の正極端子のうちの何れか一方に対して電気的に導通状態とし、他方に対して遮断状態とするように切替える。
【０１１６】
アダプター制御部３１０Ａの給電制御部３１５は、切替部３２２を制御する。例えば、給電制御部３１５は、切替部３２２を制御することにより、レンズ系電源生成部３２１に対して、パワー系電源ＰＷＲの電圧および第２蓄電池３９０の電圧のうちの何れの電圧を供給するかを切替える制御をする。なお、給電制御部３１５は、第２蓄電池電圧検出部３２４の検出結果に基づいて、切替部３２２を制御してもよい。また、給電制御部３１５は、第２蓄電池電圧検出部３２４の検出結果に加えて、接点Ｔａ１１（第１接続部）から供給された電圧（パワー系電源ＰＷＲの電圧）を、不図示の電圧検出部により検出して、それぞれの電圧の検出結果に基づいて切替部３２２を制御してもよい。
【０１１７】
これにより、アダプター電源部３２０Ａは、アダプター制御部３１０Ａの制御により、パワー系電源ＰＷＲの電圧または第２蓄電池３９０の電圧から交換レンズ２００に供給するためのレンズ系電源系統の電圧を生成することができる。例えば、アダプター電源部３２０Ａは、カメラボディ１００から供給されるパワー系電源ＰＷＲの電圧からレンズ系電源系統の電圧を生成するとともに、パワー系電源ＰＷＲの電圧が低下した（供給能力が不足した）場合に、パワー系電源ＰＷＲの電圧に代えて第２蓄電池３９０の電圧からレンズ系電源系統の電圧を生成することができる。なお、アダプター電源部３２０Ａは、上述とは逆に、第２蓄電池３９０の電圧からレンズ系電源系統の電圧を生成するとともに、第２蓄電池３９０の電圧が低下した（供給能力が不足した）場合に、第２蓄電池３９０の電圧に代えてパワー系電源ＰＷＲの電圧からレンズ系電源系統の電圧を生成してもよい。
このように、アダプター３００Ａは、交換レンズ２００に供給するためのレンズ系電源系統の電圧を、パワー系電源ＰＷＲの電圧および第２蓄電池３９０の電圧のうちの何れの電圧から生成するかを切替えることができる。
【０１１８】
以上説明したように、第２実施形態の構成によれば、アダプター３００Ａは、受電部３３０に受電された受電電力を、搭載する第２蓄電池３９０に充電することができる。また、第２実施形態の構成においても、第１実施形態と同様に、接点Ｔａ１１（第１接続部）および接点Ｔｂ１１（第３接続部）を介する給電方向を切替えることにより、カメラボディ１００は、アダプター３００Ａから給電された受電電力を第１蓄電池１９０に充電することができる。
【０１１９】
次に、第２実施形態における給電切替え処理の動作について説明する。
図１１は、第２実施形態における給電切替え処理および充電処理の一例を示すフローチャートである。この図に示す給電切り替え処理は、第１蓄電池１９０の電圧（充電状態）および第２蓄電池３９０の電圧（充電状態）それぞれに基づいて、給電方向を切り替える処理および第１蓄電池１９０または第２蓄電池３９０に充電する処理の一例である。なお、図１１において図５〜９と対応する各処理には同一の符号を付けている。
【０１２０】
図１１に示す給電方向切替え処理（ステップＳ１１０）は、図７に示す給電方向切替え処理（ステップＳ１１０）と同様の処理である。また、図１１に示す受電電力判定処理（ステップＳ２００）は、図５に示す受電電力判定処理（ステップＳ２００）と同様の処理である。
【０１２１】
カメラ制御部１１０は、給電方向切替え処理（ステップＳ１１０）を実行する。まず、給電方向制御部１１２は、第２給電方向への切替え要求があるか否かを判定する（ステップＳ１１１）。一方、アダプター制御部３１０Ａは、受電電力判定処理（ステップＳ２００）を実行する。受電判定部３１３は、受電部３３０の整流回路３３２の出力電圧を検出することにより受電電力を検出し、（ステップＳ２０５）、受電部３３０が受電中の状態であるか否かを判定する（ステップＳ２０６）。ステップＳ２０６において、受電部３３０が受電中の状態であると判定された場合、第１アダプター通信部３１１は、「第２給電方向要求信号」をカメラ通信部１１１に送信する（ステップＳ２０７）。
【０１２２】
カメラ通信部１１１が第１アダプター通信部３１１から「第２給電方向要求信号」を受信した場合、ステップＳ１１１において、給電方向制御部１１２は第２給電方向への切替え要求があったと判定する。そして、カメラ制御部１１０は、充電開始準備の処理を実行する（ステップＳ１１２）。
【０１２３】
カメラ制御部１１０は、第１蓄電池電圧検出部１２４が検出した第１蓄電池１９０の電圧を取得し、取得した第１蓄電池１９０の電圧が所定の第１蓄電池閾値電圧より低下しているか否か（所定の第１蓄電池閾値電圧未満であるか否か）を判定する（ステップＳ１１６）。ここで、所定の第１蓄電池閾値電圧とは、第１蓄電池１９０の電圧が、充電が必要な電圧であるか否かを判定するために予め定められた閾値電圧である。
【０１２４】
ステップＳ１１６において、第１蓄電池１９０の電圧が所定の第１蓄電池閾値電圧以上であると判定された場合、カメラ制御部１１０は、第１蓄電池１９０に対する充電が不要であると判定して、ステップＳ１１１に処理を戻す。一方、ステップＳ１１６において、第１蓄電池１９０の電圧が所定の第１蓄電池閾値電圧未満であると判定された場合、カメラ制御部１１０は、第１蓄電池１９０に対する充電が必要であると判定して、カメラ通信部１１１から「充電開始準備指令」を第１アダプター通信部３１１に対して送信するとともに（ステップＳ１１８）、ステップＳ１２０に処理を進める。
【０１２５】
一方、アダプター制御部３１０Ａは、ステップＳ２０６において、受電部３３０が受電中の状態であると判定された場合、第２蓄電池電圧検出部３２４が検出した第２蓄電池３９０の電圧を受信（取得）する。そして、アダプター制御部３１０Ａは、取得した第２蓄電池３９０の電圧が所定の第２蓄電池閾値電圧より低下しているか否か（所定の第２蓄電池閾値電圧未満であるか否か）を判定する（ステップＳ２０８）。ここで、所定の第２蓄電池閾値電圧とは、第２蓄電池３９０の電圧が、充電が必要な電圧であるか否かを判定するために予め定められた閾値電圧である。
【０１２６】
ステップＳ２０８において、第２蓄電池３９０の電圧が所定の第２蓄電池閾値電圧未満であると判定された場合、アダプター制御部３１０Ａは、ステッＳ２１０に処理を進める。一方、ステップＳ２０８において、第２蓄電池３９０の電圧が所定の第２蓄電池閾値電圧以上であると判定された場合、アダプター制御部３１０Ａは、第２蓄電池３９０に対する充電が不要であると判定して、第１アダプター通信部３１１が「充電開始準備指令」をカメラ通信部１１１から受信したか否かを判定する（ステップＳ２０９）。
【０１２７】
ステップＳ２０９において、第１アダプター通信部３１１が「充電開始準備指令」を受信していないと判定された場合、すなわち第１蓄電池１９０および第２蓄電池３９０の何れも充電が不要であると判定された場合、アダプター制御部３１０Ａは、ステップＳ２０５に処理を戻す。
【０１２８】
一方、ステップＳ２０９において、第１アダプター通信部３１１が「充電開始準備指令」を受信したと判定された場合、アダプター制御部３１０Ａは、ステップＳ２１０に処理を進める。すなわち、ステップＳ２０８において、第２蓄電池３９０の電圧が所定の第２蓄電池閾値電圧未満であると判定された場合（第２蓄電池３９０に対して充電が必要な場合）、またはステップＳ２０９において、第１アダプター通信部３１１が「充電開始準備指令」を受信したと判定された場合（第１蓄電池１９０に対して充電が必要な場合）、アダプター制御部３１０Ａは、ステップＳ２１０に処理を進める。
【０１２９】
そして、ステップＳ２１０において、アダプター制御部３１０Ａは、アダプター電源部３２０Ａを制御して、交換レンズ２００に対するレンズ系電源系統の給電を停止させる。これにより、交換レンズ２００内の回路（レンズ制御部２１０、光学系駆動部２３０、絞り駆動部２３３など）の動作が停止する（ステップＳ３１０）。
【０１３０】
なお、カメラ通信部１１１が「充電開始準備指令」を第１アダプター通信部３１１に対して送信した（ステップＳ１１８）後、給電方向制御部１１２は、接点Ｔｂ１１（第３接続部）を介する給電方向を第１給電方向から第２給電方向に切替える（ステップＳ１２０）。続いて、給電方向制御部１１２の制御により給電方向が第２給電方向に切替わった後に、カメラ通信部１１１は、第２給電方向に切替えたことを示す「切替完了信号」を第１アダプター通信部３１１に送信（切替え完了を通知）する（ステップＳ１２２）。
【０１３１】
次に、給電方向切替部１５０における給電方向が第２給電方向に切替わることにより、カメラボディ１００に対して、受電部３３０に受電された受電電力の給電が開始される（ステップＳ２２０）。続いて、第１蓄電池充電部１２３は、アダプター３００Ａから接点Ｔａ１１（第１接続部）および接点Ｔｂ１１（第３接続部）を介して供給された受電電力を第１蓄電池１９０に充電開始する（ステップＳ１２４）。
なお、第２蓄電池充電部３２３は、アダプター３００Ａ内において、受電部３３０に受電された受電電力を第２蓄電池３９０に充電開始する（ステップＳ２２４）。
【０１３２】
このように、第２蓄電池充電部３２３は、アダプター３００に搭載された第２蓄電池３９０に対して、受電部３３０に受電された受電電力を充電する。例えば、第２蓄電池充電部３２３は、受電部３３０が受電中の状態である場合、第２蓄電池３９０に対して受電電力を充電する。また、第２蓄電池充電部３２３は、受電部３３０が受電中の状態であるか否かと、第２蓄電池３９０の電圧（充電状態）とに基づいて、第２蓄電池３９０に対して受電電力を充電する。これにより、アダプター３００は、搭載された第２蓄電池３９０に対して、必要に応じて受電電力を充電することができる。
【０１３３】
また、アダプター３００およびカメラボディ１００は、受電部３３０が受電中の状態であるか否かと、第２蓄電池３９０の電圧（充電状態）および第１蓄電池１９０の電圧（充電状態）とに基づいて、第２蓄電池３９０と第１蓄電池１９０とのそれぞれに対して受電電力を充電する。これにより、アダプター３００およびカメラボディ１００は、搭載された第２蓄電池３９０と第１蓄電池１９０とのそれぞれに対して、必要に応じて受電電力を充電することができる。すなわち、第２実施形態によれば、アダプター３００は、装着されたカメラボディ１００に搭載されている第１蓄電池１９０またはアダプター３００に搭載されている第２蓄電池３９０を容易に充電することができる。
【０１３４】
次に、第２実施形態において、第２蓄電池３９０への充電制御状態が充電中の場合に、各制御部の動作状態をスリープ状態とする制御について説明する。ここでは、第２蓄電池３９０に対する充電制御状態が充電中の状態である場合に、アダプター３００Ａ（アダプター制御部３１０Ａ）またはカメラボディ１００（カメラ制御部１１０）の動作状態をスリープ状態に制御する例について説明する。
【０１３５】
アダプター制御部３１０Ａは、第２蓄電池３９０への充電制御状態が充電中であるか否か（充電中の状態であるか、または非充電中の状態であるか）を検出し、検出した充電制御状態に基づいてアダプター制御部３１０Ａの動作状態を制御する。なお、アダプター制御部３１０Ａは、例えば、第２蓄電池充電部３２３における制御状態を示す信号を受信することに基づいて、第２蓄電池３９０への充電制御状態が充電中であるか否かを検出（判定）してもよい。
【０１３６】
例えば、アダプター動作状態制御部３１４は、第２蓄電池充電部３２３により受電電力が第２蓄電池３９０に対して充電される場合、少なくとも第１アダプター通信部３１１の動作状態を通常動作状態（第１動作状態）からスリープ状態（第２動作状態）に遷移させる。また、アダプター動作状態制御部３１４は、第２蓄電池３９０に対する充電が終了された場合、第１アダプター通信部３１１の動作状態をスリープ状態から通常動作状態に遷移させる。
【０１３７】
また、アダプター３００に交換レンズ２００が装着されている場合、アダプター動作状態制御部３１４は、さらに第２アダプター通信部３１２の動作状態を通常動作状態とスリープ状態とに切替える制御を行う。例えば、アダプター動作状態制御部３１４は、第２蓄電池充電部３２３により受電電力が第２蓄電池３９０に対して充電される場合、第２アダプター通信部３１２の動作状態を通常動作状態からスリープ状態に遷移させる。また、アダプター動作状態制御部３１４は、第２蓄電池３９０に対する充電が終了された場合、例えば第２蓄電池３９０が非充電中であると検出された場合、第１アダプター通信部３１１の動作状態をスリープ状態から通常動作状態に遷移させる。
【０１３８】
なお、通常動作状態とスリープ状態とを切替える制御は、第２蓄電池３９０に対する充電制御状態が充電中の状態であるか否かを判定したことに基づいて切替える制御としてもよいし、通常動作状態とスリープ状態とを切替えてから充電制御状態を充電中または非充電中に切替える制御としてもよい。また、アダプター３００Ａは、第２蓄電池３９０を充電する場合、カメラボディ１００をスリープ状態に遷移させるように制御してもよい。
【０１３９】
次に、図１２を参照して、第２実施形態によるスリープ処理の一例について説明する。図１２は、第２実施形態によるスリープ処理の一例を示すフローチャートである。この図は、アダプター３００Ａがカメラボディ１００および交換レンズ２００と装着されている状態で、給電パッド５００に載置されることが可能な場合の処理を示す一例である。また、この図は、第２蓄電池３９０を充電する場合のスリープ処理であって、アダプター３００Ａの制御による処理を示す一例である。
【０１４０】
まず、アダプター制御部３１０Ａは、給電パッド５００から給電されることにより充電可能な状態であるか否か（換言すれば、受電中の状態であるか否か）を判定する（ステップＳ１１）。例えば、アダプター制御部３１０Ａは、２次コイル３３１に生じる電力から整流回路３３２を介して出力される受電電力の電圧を検出し、検出した電圧を所定の電圧（例えば、充電可能な電圧を判定するために予め定められている電圧）と比較することにより充電可能な状態であるか否か（充電可能な給電量の電力が受電されているか否か）を判定する。
【０１４１】
なお、第２蓄電池充電部３２３が、整流回路３３２から入力された受電電力の電圧に基づいて、充電可能な状態であるか否かを検出し、検出した結果をアダプター制御部３１０Ａに供給してもよい。例えば、アダプター３００Ａ単体の状態（非装着状態）で、給電パッド５００に載置された場合などは、第２蓄電池充電部３２３が、給電パッド５００から受電された受電電力の電圧が充電可能な状態であることを検出して、第２蓄電池３９０への充電を開始してもよい。
【０１４２】
ステップＳ１１において、充電可能な状態でないと判定された場合（換言すれば、非受電中の状態であると判定された場合）、アダプター制御部３１０Ａは、受電電力の電圧を検出して充電可能な状態であるか否かを判定する処理を所定のタイミングで継続する。一方、ステップＳ１１において、充電可能な状態であると判定された場合（換言すれば、受電中の状態であると判定された場合）、アダプター制御部３１０Ａは、交換レンズ２００と接続（装着）されているか否かを判定する（ステップＳ１２）。例えば、アダプター制御部３１０Ａは、各種接点群２０１ｂ、３０２ｂのうち一対の接点を用いて、交換レンズ２００がアダプター３００Ａに接続（装着）されているか否かを判定する。
【０１４３】
ステップＳ１２において、アダプター３００Ａが交換レンズ２００と接続（装着）されていないと判定された場合、アダプター制御部３１０Ａは、ステップＳ１５に処理を進め、アダプター３００Ａがカメラボディ１００と接続（装着）されているか否かを判定する。
【０１４４】
一方、ステップＳ１２において、アダプター３００Ａが交換レンズ２００と接続（装着）されていると判定された場合、アダプター制御部３１０Ａは、接続されている交換レンズ２００に対する給電を停止させる（ステップＳ１３）。具体的には、アダプター制御部３１０Ａは、アダプター電源部３２０Ａが備えているレンズ系電源生成部３２１を制御することにより、交換レンズ２００に対するレンズ系電源系統の電圧の供給を停止させる。次に、アダプター動作状態制御部３１４は、第２アダプター通信部３１２の動作状態をスリープ状態に遷移させる（ステップＳ１４）。
【０１４５】
続いて、アダプター制御部３１０Ａは、アダプター３００Ａがカメラボディ１００と接続（装着）されているか否かを判定する（ステップＳ１５）。例えば、アダプター制御部３１０Ａは、各種接点群１０１ｂ、３０１ｂのうち一対の接点を用いて、アダプター３００Ａがカメラボディ１００に接続（装着）されているか否かを判定する。
【０１４６】
ステップＳ１５において、アダプター３００Ａがカメラボディ１００に接続（装着）されていないと判定された場合、アダプター制御部３１０Ａは、ステップＳ１８に処理を進め、第２蓄電池３９０に対して充電を開始する。
【０１４７】
一方、ステップＳ１５において、アダプター３００Ａがカメラボディ１００に接続（装着）されていると判定された場合、アダプター制御部３１０Ａは、カメラ制御部１１０に対して、スリープモードへの遷移指示を送信する（ステップＳ１６）。そして、アダプター制御部３１０Ａは、カメラ制御部１１０に対してスリープモードへの遷移指示を送信した後で、ステップＳ１７に処理を進める。
【０１４８】
ここで、アダプター制御部３１０Ａの第１アダプター通信部３１１は、各種接点群１０１ｂ、３０１ｂのうちの対となる接点を用いて、カメラ制御部１１０のカメラ通信部１１１と通信することによりカメラボディ１００をスリープモードに遷移させる。例えば、給電パッド５００からの電力を受電することにより充電可能な状態になったことをトリガーとして、第１アダプター通信部３１１は、スリープモードへの遷移指示をカメラ通信部１１１に送信する。これにより、カメラ制御部１１０（カメラボディ１００）は、カメラ動作状態制御部１１３の制御によりスリープモードに遷移する。
【０１４９】
なお、カメラ制御部１１０（カメラボディ１００）をスリープモードにする制御は、アダプター制御部３１０Ａからのスリープモードへの遷移指示に応じて行われるのではなく、次のようにカメラ制御部１１０の制御により行われてもよい。例えば、カメラ制御部１１０は、給電パッド５００からの給電により充電可能な状態または充電を開始する状態にあることを示す情報を、この取得コマンドを第１アダプター通信部３１１に対して送信することにより、第１アダプター通信部３１１から取得して、スリープモードへ移行するようにしてもよい。また、スリープモードへの移行は、カメラ制御部１１０とアダプター制御部３１０Ａとの協調制御により行なわれるようにしてもよい。
【０１５０】
ここで、スリープモードとは、カメラボディ１００のうち充電に関連しない機能をオフにして、消費電力を削減したり、充電中にノイズが発生して充電の妨げにならないようにしたりすることをいう。例えば、アダプター３００Ａに搭載されている第２蓄電池３９０が充電される際に、カメラボディ１００が備えている各部のうち、報知部１７０のＬＥＤの点灯を除いてカメラボディ１００のすべての機能がスリープモードに移行する（復帰のトリガーにより復帰可能な状態に移行する）。また、カメラ制御部１１０は、スリープモードに移行した後（直後または所定の時間経過後）に、報知部１７０のＬＥＤを点灯させる。
【０１５１】
次に、ステップＳ１７において、アダプター動作状態制御部３１４は、アダプター制御部３１０Ａをスリープモードに遷移させる。例えば、アダプター動作状態制御部３１４は、ステップＳ１４において、第２アダプター通信部３１２の動作状態をスリープ状態に遷移させたのに加えて、第１アダプター通信部３１１の動作状態をスリープ状態に遷移させる。なお、アダプター動作状態制御部３１４は、第２蓄電池３９０を充電するための回路、およびトリガー信号に応じて再び通信処理を開始するのに必要な最低限の回路のみ動作している状態に制御してもよい。
【０１５２】
次に、第２蓄電池充電部３２３は、第２蓄電池３９０への充電を開始する（ステップＳ１８）。例えば、第２蓄電池充電部３２３は、給電パッド５００から２次コイル３３１を介して受電され、整流回路３３２において直流電力（直流電圧）に変換された電力（受電電力）を、第２蓄電池３９０に給電する電圧に変換して、第２蓄電池３９０に対して充電を開始する。
【０１５３】
また、第２蓄電池充電部３２３は、第２蓄電池３９０の充電状態を監視（例えば第２蓄電池３９０の電圧を監視）する（ステップＳ１９）。第２蓄電池充電部３２３は、第２蓄電池３９０の充電状態が満充電の状態であるか否かにより、第２蓄電池３９０への充電を終了するか否かを制御する。第２蓄電池充電部３２３は、第２蓄電池３９０に対する充電制御状態（充電中の状態、または非充電中の状態）をアダプター制御部３１０Ａに送信する。
【０１５４】
また、第２蓄電池充電部３２３は、整流回路３３２から第２蓄電池３９０に対して充電可能な電力が継続して供給されているか否か（すなわち、給電パッド５００からアダプター３００Ａに対して、非接触充電方式による給電が継続されているか否か（第２蓄電池３９０に対して充電可能な状態であるか否か））も検出して、充電を終了するか否かを制御する。つまり、第２蓄電池充電部３２３は、整流回路３３２からの給電が停止した場合（換言すれば、非充電中の状態になった場合）、第２蓄電池３９０の充電状態が満充電の状態であるか否かにかかわらず、第２蓄電池３９０への充電を終了する。
【０１５５】
つまり、ステップＳ１９における充電状態の監視処理は、例えば、カメラボディ１００とアダプター３００Ａとが給電パッド５００に載置された状態が続いているかどうかも確認している。第２蓄電池充電部３２３は、アダプター３００Ａが給電パッド５００に載置されていれば充電を継続し、アダプター３００Ａが給電パッド５００に載置されていなければ撮影のためユーザがカメラ本体を持ち上げたとして（充電が中断されたとして）、充電を終了する。
【０１５６】
次に、アダプター制御部３１０Ａは、第２蓄電池充電部３２３から第２蓄電池３９０に対する充電制御状態（充電中の状態、または非充電中の状態）を受信することにより、第２蓄電池３９０に対する充電が終了したか否かを判定する（ステップＳ２０）。
【０１５７】
ステップＳ２０において、第２蓄電池３９０への充電が終了していない（充電中である）と判定された場合、アダプター制御部３１０Ａは、ステップＳ１８に処理を戻す。そして、アダプター制御部３１０Ａは、第２蓄電池３９０への充電が終了したと判定するまで、第２蓄電池３９０に対する充電制御状態を第２蓄電池充電部３２３から受信して、ステップＳ２０の判定処理を繰り返し実行する。
【０１５８】
一方、ステップＳ２０において、第２蓄電池３９０への充電が終了したと判定された場合、アダプター動作状態制御部３１４は、アダプター制御部３１０Ａのスリープモードを解除して通常動作モードに復帰させる（ステップＳ２１）。これにより、アダプター制御部３１０Ａの第１アダプター通信部３１１および第２アダプター通信部３１２は、スリープ状態から通常動作状態に復帰する。
【０１５９】
次に、第１アダプター通信部３１１は、カメラ通信部１１１に対して、カメラ制御部１１０のスリープモードを解除する指示を送信する（ステップＳ２２）。これにより、カメラ制御部１１０（カメラボディ１００）は、スリープモードから通常動作モードに復帰する。また、カメラ制御部１１０は、報知部１７０のＬＥＤの点灯を消灯する。続いて、アダプター制御部３１０Ａは、アダプター電源部３２０Ａを制御することにより、交換レンズ２００に対する給電を開始させる（ステップＳ２３）。これにより、第２アダプター通信部３１２は、レンズ制御部２１０と通信を開始する。
【０１６０】
このように、第２実施形態によれば、アダプター３００Ａは、搭載されている第２蓄電池３９０に対して受電電力を充電する場合、交換レンズ２００への給電を停止するとともに、アダプター制御部３１０Ａ（アダプター３００Ａ）およびカメラ制御部１１０（カメラボディ１００）をスリープモードに制御する。
これにより、アダプター３００Ａを介してカメラボディ１００と交換レンズ２００とが装着されている状態であっても、非接触充電方式による充電中に、充電の妨げとなるようなノイズを発生することなく、アダプター３００Ａが搭載する第２蓄電池３９０に対して受電電力を充電することができる。
【０１６１】
なお、アダプター制御部３１０Ａは、充電が完了した場合（第２蓄電池３９０が満充電になって充電が終了した場合）と、充電完了前（第２蓄電池３９０が満充電になる前）に充電が終了した場合（充電が中断された場合）とによって、スリープモードの解除後の処理内容を異ならせるようにしてもよい。例えば、アダプター制御部３１０Ａは、充電完了前に充電が終了した場合（例えば、ユーザがカメラ本体（カメラシステム１）を給電パッド５００から持ち上げたような場合）、撮影がすぐに行われるとして、図１２を用いて説明したように交換レンズ２００への給電を開始するとともに、カメラ制御部１１０の動作状態を通常動作状態に移行させる制御をしてもよい。一方、アダプター制御部３１０Ａは、充電が完了した場合、交換レンズ２００への給電を開始せずに、カメラボディ１００の主電源がオフになるように制御してもよい。
これにより、充電完了前に充電動作が中断された場合、または充電完了により充電動作が終了した場合のそれぞれにおいて適した復帰動作を実行することができる。
【０１６２】
なお、図１２を用いて説明した第２蓄電池３９０を充電する際のスリープ処理に代えて、第１蓄電池１９０を充電する際のスリープ処理としてもよい。つまり、カメラボディ１００に搭載されている第１蓄電池１９０を充電する場合も、同様に、アダプター制御部３１０Ａが交換レンズ２００への給電を停止するとともに、アダプター制御部３１０Ａとカメラ制御部１１０とがスリープモードに遷移してもよい。
【０１６３】
例えば、カメラボディ１００の第１蓄電池充電部１２３は、第１蓄電池１９０の充電制御状態をカメラ制御部１１０に送信する。そして、カメラ制御部１１０のカメラ動作状態制御部１１３は、第１蓄電池充電部１２３から受信した第１蓄電池１９０の充電制御状態に基づいて、カメラボディ１００内の動作状態を通常動作状態またはスリープ状態に切替える制御を実行してもよい。また、上述の第１蓄電池１９０の充電制御状態をカメラ通信部１１１が第１アダプター通信部３１１に送信することにより、アダプター動作状態制御部３１４は、アダプター３００Ａ内の動作状態を通常動作状態またはスリープ状態に切替える制御を実行してもよい。また、アダプター制御部３１０Ａは、第１アダプター通信部３１１が第１蓄電池１９０の充電制御状態をカメラ通信部１１１から取得することにより、交換レンズ２００Ａに対する給電の開始または停止を制御してもよい。
【０１６４】
これにより、アダプター３００Ａを介してカメラボディ１００と交換レンズ２００とが装着されている状態であっても、非接触充電方式による充電中に、充電の妨げとなるようなノイズを発生することなく、カメラボディ１００が搭載する第１蓄電池１９０に対して、アダプター３００Ａから供給される受電電力を充電することができる。
【０１６５】
このように、第３実施形態によれば、アダプター３００は、装着されたカメラボディ１００に搭載されている第１蓄電池１９０またはアダプター３００に搭載されている第２蓄電池３９０を容易に充電することができる。
【０１６６】
＜第３実施形態＞
次に、第３実施形態について説明する。
図１３は、第３実施形態によるアダプター３００Ｃとカメラボディ１００との給電制御に関する構成の一例を示す概略ブロック図である。この図に示すアダプター３００Ｃは、第２実施形態のアダプター３００Ａと同様に第２蓄電池３９０を搭載している。但し、この第３実施形態は、アダプター３００Ｃが第２蓄電池３９０から接点Ｔａ１１（第１接続部）に対して（カメラボディ１００に対して）給電するか否かを切替える給電切替部３５０を備えている点で、第２実施形態と異なる。なお、図１３において、図１０と対応する各部には同一の符号を付けており、その説明を省略する。
【０１６７】
アダプター３００Ｃのアダプター電源部３２０Ｃは、給電切替部３５０を備えている。
給電切替部３５０は、第２蓄電池３９０から接点Ｔａ１１（第１接続部）に対して給電するか否かを切替える。例えば、給電切替部３５０は、カメラ電源部１２０が備えている給電方向切替部１５０と同様の構成をしており、ダイオード３５１と、ダイオード３５２と、スイッチ３５３と、を有している。
【０１６８】
ダイオード３５２のアノード端子は第２蓄電池３９０の正極端子に（第２蓄電池部３９０Ｂを介して）接続され、カソード端子はスイッチ３５３を介して接点Ｔａ１１（第１接続部）に接続されている。また、ダイオード３５１のカソード端子は切替部３２２を介してレンズ系電源生成部３２１の入力端子に接続され、アノード端子はスイッチ３５３を介して接点Ｔａ１１（第１接続部）に接続されている。すなわち、第２蓄電池３９０の正極端子からダイオード３５２を介して接点Ｔａ１１（第１接続部）に接続される給電系統による給電が第２給電方向の給電であって、接点Ｔａ１１（第１接続部）からダイオード３５１と切替部３２２を介してレンズ系電源生成部３２１の入力端子に接続される給電系統による給電が第１給電方向の給電である。
【０１６９】
スイッチ３５３は、アダプター制御部３１０Ｃの制御により、接点ｄと接点ｅとの接続状態、または接点ｄと接点ｆとの接続状態を導通状態にするか否か（導通状態にするかまたは遮断状態にするか）を切替える。例えば、スイッチ３５３は、アダプター制御部３１０Ｃの制御により、接点Ｔａ１１（第１接続部）をダイオード３５２のカソード端子に接続するか、または接点Ｔａ１１（第１接続部）をダイオード３５１のアノード端子に接続するか、を切替える。すなわち、給電切替部３５０は、アダプター制御部３１０Ｃの制御により、スイッチ３５３の接続状態を切替えて、接点Ｔｂ１１（第３接続部）および接点Ｔａ１１（第１接続部）を介する給電方向であって、アダプター３００Ｃ内における給電方向を、第１給電方向または第２給電方向に切替える。
【０１７０】
アダプター制御部３１０Ｃの給電制御部３１５は、切替部３２２の制御に加えて給電切替部３５０の制御をする。例えば、給電制御部３１５は、第２蓄電池３９０から接点Ｔａ１１（第１接続部）を介してカメラボディ１００に対して給電する場合、給電切替部３５０を制御することにより、第２蓄電池３９０から接点Ｔａ１１（第１接続部）に対して給電させる制御をする。すなわち、給電制御部３１５は、第２蓄電池３９０から接点Ｔａ１１（第１接続部）を介してカメラボディ１００に対して給電する場合、給電切替部３５０を第２給電方向に制御する。
【０１７１】
さらに、給電制御部３１５は、第２蓄電池３９０から接点Ｔａ１１（第１接続部）を介してカメラボディ１００に対して給電する場合、給電切替部３５０を制御することにより、第２蓄電池３９０から接点Ｔａ１１（第１接続部）に対して給電させる（給電切替部３５０を第２給電方向に制御する）とともに、第１アダプター通信部３１１を制御することにより、接点Ｔａ１１（第１接続部）を介する給電方向を第２給電方向に切替えることを要求する「第２給電方向要求信号」をカメラ通信部１１１に送信する。カメラ制御部１１０の給電方向制御部１１２は、カメラ通信部１１１が、この「第２給電方向要求信号」を受信することにより、接点Ｔｂ１１（第３接続部）を介する（給電方向切替部１５０における）給電方向を第２給電方向に切替える。
【０１７２】
これにより、アダプター３００Ｃは、カメラボディ１００に対して、第２蓄電池３９０から給電することが可能となる。よって、第３実施形態によれば、接点Ｔａ１１（第１接続部）および接点Ｔｂ１１（第３接続部）を介する給電方向を切替えることにより、カメラボディ１００は、アダプター３００Ｃに搭載された第２蓄電池３９０から給電された電力を第１蓄電池１９０に対して充電することができる。
【０１７３】
また、第１蓄電池１９０から接点Ｔａ１１（第１接続部）を介してカメラボディ１００から給電される場合、給電制御部３１５は、接点Ｔａ１１（第１接続部）とレンズ系電源生成部３２１の入力端子とを給電切替部３５０および切替部３２２を介して電気的に接続（導通）させるように制御する。さらに、給電制御部３１５は、第１アダプター通信部３１１を制御することにより、接点Ｔａ１１（第１接続部）を介する給電方向を第１給電方向に切替えることを要求する「第１給電方向要求信号」をカメラ通信部１１１に送信する。カメラ制御部１１０の給電方向制御部１１２は、この「第１給電方向要求信号」を受信することにより、接点Ｔｂ１１（第３接続部）を介する（給電方向切替部１５０における）給電方向を第１給電方向に切替える。これにより、アダプター３００Ｃは、カメラボディ１００の第１蓄電池１９０からの給電により、交換レンズ２００に供給するレンズ系電源系統の電圧を生成することができる。
【０１７４】
また、アダプター３００Ｃは、第１、第２実施形態と同様に、受電電力をカメラボディ１００に供給することも可能である。例えば、アダプター制御部３１０Ｃが、切替部３２２をダイオード３２５のカソード端子とダイオード３５２のアノード端子が導通状態になるように制御するとともに、給電切替部３５０を第２給電方向に制御する。さらに、カメラ制御部１１０が、給電方向切替部１５０を第２給電方向に制御する。これにより、受電部３３０から接点Ｔａ１１（第１接続部）および接点Ｔｂ１１（第３接続部）を介して第１蓄電池充電部１２３に対して受電電力が供給可能になる。
よって、第３実施形態によれば、第１、第２実施形態と同様に、接点Ｔａ１１（第１接続部）および接点Ｔｂ１１（第３接続部）を介する給電方向を切替えることにより、カメラボディ１００は、アダプター３００Ｃから給電された受電電力を第１蓄電池１９０に充電することができる。
【０１７５】
なお、アダプター３００Ｃからカメラボディ１００に第２蓄電池３９０の電圧を供給する場合、カメラボディ１００は、第２蓄電池３９０から供給された電圧（電力）を、第１蓄電池１９０に充電する制御に代えて、カメラボディ１００内の各部の動作用電圧として利用する（給電する）制御としてもよい。例えば、カメラボディ１００は、カメラ制御部１１０の制御により第２給電方向に制御されている給電方向切替部１５０を介して供給された第２蓄電池３９０の電圧を、第１蓄電池充電部１２３を介して（例えば、スルーして）制御系電源生成部１２１に供給するように構成してもよい。
【０１７６】
また、制御系電源生成部１２１の入力端子が給電方向切替部１５０のダイオード１５１のカソード端子に接続された構成としてもよい。この構成において、カメラボディ１００は、第１蓄電池１９０の電圧が低下した場合に、給電方向切替部１５０を第１給電方向に制御するとともに給電切替部３５０を第２給電方向に切替えてもよい。これにより、カメラボディ１００は、接点Ｔａ１１（第１接続部）および接点Ｔｂ１１（第３接続部）を介して供給された第２蓄電池３９０の電圧を、第１蓄電池充電部１２３に供給しないで、制御系電源生成部１２１に供給するようにしてもよい。
【０１７７】
なお、給電制御部３１５は、切替部３２２を第２蓄電池３９０からレンズ系電源生成部３２１に給電するように制御するとともに、給電切替部３５０を第２給電方向に制御することにより、接点Ｔａ１１（第１接続部）およびレンズ系電源生成部３２１の入力端子それぞれに第２蓄電池３９０から給電するように制御してもよい。これにより、アダプター３００Ｃは、第２蓄電池３９０から給電することにより、カメラボディ１００と交換レンズ２００とを動作させることができる。例えば、アダプター３００Ｃは、第２蓄電池３９０から供給する電圧により、カメラボディ１００の第１蓄電池１９０を充電するとともに、その充電中の期間も交換レンズ２００に給電を継続することにより、例えばレンズの設定情報等を保持させておく（スリープモードに制御する）ことが可能である。
【０１７８】
＜給電方向を切替える構成の例＞
次に、接点Ｔａ１１（第１接続部）および接点Ｔｂ１１（第３接続部）を介する給電方向を切替える構成の別の例について説明する。
図１４は、図４に示す給電制御に関する構成図を簡略化した図である。
図４では、給電方向切替部１５０内の構成を、ダイオード１５１と、ダイオード１５２と、スイッチ１５３と、を含む構成として示しているが、この図では、符号１５０ＢＡで示す第１給電方向に給電方向を制限する回路（以下、第１給電方向制限部１５０ＢＡと称する）と、符号１５０ＡＢで示す第２給電方向に給電方向を制限する回路（以下、第２給電方向制限部１５０ＡＢと称する）と、を含む構成に簡略化して示している。
【０１７９】
つまり、給電方向切替部１５０内の構成は、ダイオード１５１と、ダイオード１５２と、スイッチ１５３と、を含む構成に限られるものではなく、第１給電方向および第２給電方向のうちの何れかの給電方向を選択、且つ切替えられる構成であればよい。図１４に示す給電方向切替部１５０は、第１給電方向制限部１５０ＢＡと第２給電方向制限部１５０ＡＢとがそれぞれ排他的にアクティブまたは非アクティブに制御されることにより、第１給電方向および第２給電方向のうちの何れかの給電方向に制御が可能である。
【０１８０】
なお、第１給電方向制限部１５０ＢＡおよび第２給電方向制限部１５０ＡＢを含む給電方向切替部１５０は、図４（または図１０，１３）に示すようにダイオード１５１と、ダイオード１５２と、スイッチ１５３とを含んで構成されてもよいし、周知のオペアンプ、トランジスター、ＦＥＴ（Field-Effect Transistor）などを含んで構成されてもよい。
【０１８１】
図１５は、図１４に示すカメラボディ１００が給電方向切替部１５０を備えている構成に代えて、図１３を用いて説明した給電切替部３５０であって給電方向切替部１５０と同様の構成である給電切替部３５０をアダプター３００が備えている構成を示している。この図では、カメラボディ１００内の給電方向切替部１５０を制御するのに代えて、アダプター３００内の給電切替部３５０を制御することにより、第１給電方向および第２給電方向のうちの何れかの給電方向に制御が可能である。例えば、カメラ制御部１１０が給電方向切替部１５０を制御するのに代えて、アダプター制御部３１０が給電切替部３５０を制御することにより、図１３（図４）に示す給電方向の制御と同様の制御が可能である。すなわち、接点Ｔａ１１（第１接続部）および接点Ｔｂ１１（第３接続部）を介する給電方向を切替える構成は、図１３（図４）に示すようにカメラボディ１００内に備えてもよいし、図１５に示すようにアダプター３００内に備えてもよい。
【０１８２】
図１６は、図１４に示すカメラボディ１００が給電方向切替部１５０を備えている構成に加えて、アダプター３００が給電切替部３５０を備えている構成である。例えば、第３実施形態において説明したように、第２蓄電池３９０からカメラボディ１００へ給電する構成において、給電方向切替部１５０と給電切替部３５０を組み合わせて制御する構成がある。しかし、第２蓄電池３９０からカメラボディ１００への給電は行わないで、第１実施形態または第２実施形態のように、第１蓄電池１９０からアダプター３００への給電と受電部３３０からカメラボディ１００への給電とを切替える場合においても、給電方向切替部１５０と給電切替部３５０とを組み合わせて制御する構成としてもよい。この図１６に示す構成では、カメラ制御部１１０が給電方向切替部１５０を制御し、アダプター制御部３１０が給電切替部３５０をするとともに、カメラ制御部１１０とアダプター制御部３１０とが互いに通信することにより協調して制御を実行する。これにより、図１６に示す構成においても、第１給電方向および第２給電方向のうちの何れかの給電方向に制御が可能である。すなわち、接点Ｔａ１１（第１接続部）および接点Ｔｂ１１（第３接続部）を介する給電方向を切替える構成は、図１６に示すようにカメラボディ１００とアダプター３００との両方に備えてもよい。
【０１８３】
以上説明してきたように、上記実施形態によれば、アダプター３００とカメラボディ１００とは、接点Ｔａ１１（第１接続部）と接点Ｔｂ１１（第３接続部）とを介して接続されたパワー系電源ＰＷＲの電源線における給電方向を切替える制御をする。例えば、アダプター３００の受電部３３０に電力が受電された場合、接点Ｔａ１１（第１接続部）と接点Ｔｂ１１（第３接続部）とを介する給電方向を切替えることにより、この受電電力をカメラボディ１００に対して給電する。
これにより、アダプター３００とカメラボディ１００とは、互いに接続するための各種接点群３０１ｂおよび各種接点群１０１ｂの接点の数を増やすことなく、アダプター３００からカメラボディ１００に受電電力を給電することができる。よって、レンズ交換式のカメラシステムにおいて、装着されたカメラボディ１００またはアダプター３００（３００Ａ、３００Ｃ）に搭載されている蓄電池（第１蓄電池または第２蓄電池）を容易に充電することができる。すなわち、装着された電子機器に搭載されている蓄電池を容易に充電することができる。
【０１８４】
なお、上記実施形態において、接点Ｔａ１１（第１接続部）と接点Ｔｂ１１（第３接続部）とを介して電気的に接続される構成は、一対の接点に限られるものではない。例えば、複数の接点を有する第１接続部と、第１接続部の複数の接点それぞれと対をなす複数の接点を有する第２接続部とを介して接続される構成であってもよい。
【０１８５】
なお、上記実施形態において、カメラボディ１００が報知部１７０を備えている構成を説明したが、これに限られるものではない。例えば、アダプター３００（３００Ａ、３００Ｃ）が報知部を備えている構成としてもよい。具体的には、アダプター３００（３００Ａ、３００Ｃ）は、アダプター３００（３００Ａ、３００Ｃ）に搭載されている第２蓄電池３９０が充電中の場合に、この充電中であることを報知する報知部（第１報知部）を備えている構成としてもよい。また、アダプター３００（３００Ａ、３００Ｃ）は、カメラボディ１００に搭載されている第１蓄電池１９０が充電中の場合に、この充電中であることを報知する報知部（第２報知部）を備えている構成としてもよい。さらに、アダプター３００（３００Ａ、３００Ｃ）は、報知部として、上述の第１報知部および第２報知部をそれぞれ備えている構成としてもよいし、第１報知部および第２報知部の機能を有する１つの報知部を備えている構成としてもよい。これにより、アダプター３００（３００Ａ、３００Ｃ）がカメラボディ１００に接続（装着）されていない場合であっても、充電制御状態（充電中または非充電中）をユーザに報知することができる。
【０１８６】
同様に、カメラボディ１００が備えている報知部１７０は、第１蓄電池１９０が充電中であることを報知してもよいし、第２蓄電池３９０が充電中であることを報知してもよい。さらに、報知部１７０は、第１蓄電池１９０が充電中であること、および第２蓄電池３９０が充電中であることの両方をそれぞれ報知してもよい。これにより、カメラボディ１００の報知部１７０は、第１蓄電池１９０または第２蓄電池３９０の充電制御状態（充電中または非充電中）を、それぞれユーザに報知することができる。
【０１８７】
なお、レンズ交換式のカメラシステムは、交換レンズ２００とカメラボディ１００とがアダプター３００（３００Ａ、３００Ｃ）のみを介して接続されている構成に限られるものではない。例えば、交換レンズ２００とカメラボディ１００とが、アダプター３００（３００Ａ、３００Ｃ）と他の変換アダプター（テレコンバータ等）とを介して交換レンズ２００に接続されている構成としてもよい。
また、上記実施形態のアダプター３００（３００Ａ、３００Ｃ）は、光学系を備えていない構成を例としているが、光学系を備えている構成としてもよい。
【０１８８】
また、上記実施形態では、カメラボディ１００、アダプター３００（３００Ａ、３００Ｃ）、交換レンズ２００からなるカメラシステム１を、互いに装着可能（着脱可能）な電子機器の例として説明したが、これに限られるものではなく、その他の電子機器にも本発明は適用できる。例えば、アダプター３００（３００Ａ、３００Ｃ）に代えて、カメラボディ１００に装着可能（着脱可能）な交換レンズ、閃光装置、発光装置、位置検出装置（例えば、ＧＰＳ（Global Positioning System）装置）などの電子機器であってもよく、これらの電子機器が受電部３３０を備えて構成されていてもよい。また、互いに装着可能な電子機器は、カメラシステム１（撮像装置）に限られるものではなく、例えば、携帯電話、携帯型ゲーム機、携帯型コンピュータ、電子辞書、などの様々な電子機器と、これらの電子機器と装着可能（着脱可能）、且つ非接触方式により受電が可能な電子機器と、であってもよい。このような互いに装着可能（着脱可能）な電子機器によれば、装着された電子機器に搭載されている蓄電池を容易に充電することができる。
【０１８９】
なお、上記実施形態におけるカメラ制御部１１０、レンズ制御部２１０、またはアダプター制御部３１０（３１０Ａ、３１０Ｃ）は、それぞれ専用のハードウェアにより実現されるものであってもよく、また、メモリーおよびＣＰＵ（Central Processing Unit）により構成され、上述のカメラ制御部１１０、レンズ制御部２１０、およびアダプター制御部３１０のそれぞれの機能を実現するためのプログラムをメモリーにロードして実行することによりその機能を実現させるものであってもよい。
【０１９０】
また、上述のカメラ制御部１１０、レンズ制御部２１０、またはアダプター制御部３１０（３１０Ａ、３１０Ｃ）それぞれの機能を実現するためのプログラムをコンピュータ読み取り可能な記録媒体に記録して、この記録媒体に記録されたプログラムをコンピュータシステムに読み込ませ、実行することにより上述の各部の処理をそれぞれ行ってもよい。なお、ここでいう「コンピュータシステム」とは、ＯＳや周辺機器等のハードウェアを含むものとする。
【０１９１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１９２】
以上、この発明の実施形態を図面を参照して詳述してきたが、具体的な構成はこの実施形態に限られるものではなく、この発明の要旨を逸脱しない範囲の設計等も含まれる。
【符号の説明】
【０１９３】
１  カメラシステム、１００  カメラボディ（第１機器）、１０１  カメラボディ側マウント（第３着脱部）、１１１  カメラ通信部（第３通信部）、１１２  給電方向制御部、１１３  カメラ動作状態制御部（第２動作状態制御部）、１２３  第１蓄電池充電部、１２４  第１蓄電池電圧検出部、１５０  給電方向切替部、１７０  報知部（第３報知部）、１９０  第１蓄電池、２００  交換レンズ（第２機器）、３００  アダプター（第３機器）、３０１  第１マウント（第１着脱部）、３０２  第２マウント（第２着脱部）、３１１  第１アダプター通信部（第１通信部）、３１２  第２アダプター通信部（第２通信部）、３１３  受電判定部、３１４  アダプター動作状態制御部（第１動作状態制御部）、３１５  給電制御部、３２０  アダプター電源部、３２３  給電切替部、３２５  第２蓄電池充電部、３３０  受電部、３９０  第２蓄電池、５００  給電パッド（給電装置）、Ｔａ１１  接点（第１接続部）、Ｔｂ１１  接点（第３接続部）
【図１】
0005994284.tif 000002
【図２】
0005994284.tif 000003
【図３】
0005994284.tif 000004
【図４】
0005994284.tif 000005
【図５】
0005994284.tif 000006
【図６】
0005994284.tif 000007
【図７】
0005994284.tif 000008
【図８】
0005994284.tif 000009
【図９】
0005994284.tif 000010
【図１０】
0005994284.tif 000011
【図１１】
0005994284.tif 000012
【図１２】
0005994284.tif 000013
【図１３】
0005994284.tif 000014
【図１４】
0005994284.tif 000015
【図１５】
0005994284.tif 000016
【図１６】
0005994284.tif 000017